(57)【要約】ディジタル情報データに、鍵データに従って形成された乱数データもしくは擬似乱数データに応じた暗号化処理を施して暗号化情報データを得るにあたり、暗号強度の改善を図ることができる暗号化装置であって、ＨＤ信号に暗号化処理を施して暗号化ＨＤ信号を得る暗号化部４０と、暗号化部４０に対する擬似乱数データもしくは乱数データの供給に供される暗号データを鍵データに応じて形成する暗号形成部４５と、暗号形成部４５に入力データを供給するデータ供給部を形成するレジスタ部４４と、ＨＤ信号におけるライン番号データをレジスタ部４４に初期値データとして供給するライン番号データ抽出部４３とを備える。
2003096609.tif 000002
【特許請求の範囲】
【請求項１】
入力データに鍵データにより定められる規則に従った暗号化を行って暗号データを形成する暗号形成部と、
ディジタル情報データに、上記暗号形成部から得られる暗号データに基づく乱数データもしくは擬似乱数データに応じた暗号化処理を施して、暗号化されたディジタル情報データを得る暗号化部と、
初期値データが供給されるもとで上記暗号形成部に対する入力データを発生し、該入力データを上記暗号形成部に供給するデータ供給部と、
上記ディジタル情報データにおけるデータ区分毎に変化する情報データを上記データ供給部に初期値データとして供給する初期値データ送出部と、
を備えて構成される暗号化装置。
【請求項２】
初期値データ送出部が、暗号化部に供給されるディジタル情報データから、該ディジタル情報データにおけるデータ区分毎に変化する情報データを抽出することを特徴とする請求の範囲第１項記載の暗号化装置。
【請求項３】
初期値データ送出部が、暗号化部に供給されるディジタル情報データがディジタル映像信号をあらわすデータとされるもとで、該ディジタル映像信号をあらわすデータ中からライン番号データを抽出して、抽出されたライン番号データをデータ供給部に初期値データとして供給することを特徴とする請求の範囲第２項記載の暗号化装置。
【請求項４】
ディジタル情報データに、該ディジタル情報データにおけるデータ区分毎に変化する情報データを挿入して、改変ディジタル情報データを得るデータ挿入部と、
入力データに鍵データにより定められる規則に従った暗号化を行って暗号データを形成する暗号形成部と、
上記データ挿入部から得られる改変ディジタル情報データに、上記暗号形成部から得られる暗号データに基づく乱数データもしくは擬似乱数データに応じた暗号化処理を施して、暗号化されたディジタル情報データを得る暗号化部と、
初期値データが供給されるもとで上記暗号形成部に対する入力データを発生し、該入力データを上記暗号形成部に供給するデータ供給部と、
上記データ挿入部から得られる改変ディジタル情報データから、上記ディジタル情報データにおけるデータ区分毎に変化する情報データを抽出し、抽出された情報データを上記データ供給部に初期値データとして供給する初期値データ送出部と、
を備えて構成される暗号化装置。
【請求項５】
データ挿入部が、該データ挿入部に供給されるディジタル情報データがディジタル映像信号をあらわすデータとされるもとで、該ディジタル情報データにおけるフレーム区分毎に変化するフレーム番号データを上記ディジタル情報データに挿入して改変ディジタル情報データを得、初期値データ送出部が、上記データ挿入部から得られる改変ディジタル情報データから、上記フレーム番号データを抽出し、抽出されたフレーム番号データをデータ供給部に初期値データとして供給することを特徴とする請求の範囲第４項記載の暗号化装置。
【請求項６】
ディジタル情報データに、該ディジタル情報データにおける第１のデータ区分毎に変化する情報データを挿入して、改変ディジタル情報データを得るデータ挿入部と、
入力データに鍵データにより定められる規則に従った暗号化を行って暗号データを形成する暗号形成部と、
上記データ挿入部から得られる改変ディジタル情報データに、上記暗号形成部から得られる暗号データに基づく乱数データもしくは擬似乱数データに応じた暗号化処理を施して、暗号化されたディジタル情報データを得る暗号化部と、
初期値データが供給されるもとで上記暗号形成部に対する入力データを発生し、該入力データを上記暗号形成部に供給するデータ供給部と、
上記データ挿入部から得られる改変ディジタル情報データから、上記ディジタル情報データにおける第１のデータ区分毎に変化する情報データを抽出し、抽出された情報データを上記データ供給部に初期値データとして供給する第１の初期値データ送出部と、
上記データ挿入部に供給されるディジタル情報データもしくは上記データ挿入部から得られる改変ディジタル情報データから、上記ディジタル情報データにおける第２のデータ区分毎に変化する情報データを抽出し、抽出された情報データを上記データ供給部に初期値データとして供給する第２の初期値データ送出部と、
を備えて構成される暗号化装置。
【請求項７】
データ挿入部が、該データ挿入部に供給されるディジタル情報データがディジタル映像信号をあらわすデータとされるもとで、該ディジタル情報データにおけるフレーム区分毎に変化するフレーム番号データを上記ディジタル情報データに挿入して改変ディジタル情報データを得、第１の初期値データ送出部が、上記データ挿入部から得られる改変ディジタル情報データから、上記フレーム番号データを抽出し、抽出されたフレーム番号データをデータ供給部に初期値データとして供給するとともに、第２の初期値データ送出部が、上記データ挿入部に供給されるディジタル情報データもしくは上記データ挿入部から得られる改変ディジタル情報データからライン番号データを抽出し、抽出されたライン番号データを上記データ供給部に初期値データとして供給することを特徴とする請求の範囲第６項記載の暗号化装置。
【請求項８】
鍵データを送出する鍵データ送出部と、
ディジタル情報データに、上記鍵データ送出部から送出される鍵データに基づく改変鍵データに応じた暗号化処理を施して、暗号化されたディジタル情報データを得る暗号化部と、
上記ディジタル情報データにおけるデータ区分毎に変化する情報データを送出する情報データ送出部と、
上記鍵データ送出部から送出される鍵データと上記情報データ送出部から送出される情報データとについての演算処理を行って上記改変鍵データを形成し、該改変鍵データを上記暗号化部に供給する演算処理部と、
を備えて構成される暗号化装置。
【請求項９】
情報データ送出部が、暗号化部に供給されるディジタル情報データから、該ディジタル情報データにおけるデータ区分毎に変化する情報データを抽出することを特徴とする請求の範囲第８項記載の暗号化装置。
【請求項１０】
情報データ送出部が、暗号化部に供給されるディジタル情報データがディジタル映像信号をあらわすデータとされるもとで、該ディジタル映像信号をあらわすデータからライン番号データを抽出することを特徴とする請求の範囲第９項記載の暗号化装置。
【請求項１１】
ディジタル情報データにおけるデータ区分毎に変化する情報データを送出する情報データ送出部と、
上記ディジタル情報データと上記情報データ送出部から送出される情報データとについての演算処理を行って改変ディジタル情報データを形成する演算処理部と、
鍵データを送出する鍵データ送出部と、
上記演算処理部から得られる改変ディジタル情報データに、上記鍵データ送出部から送出される鍵データに応じた暗号化処理を施して、暗号化されたディジタル情報データを得る暗号化部と、
を備えて構成される暗号化装置。
【請求項１２】
情報データ送出部が、演算処理部に供給されるディジタル情報データから、該ディジタル情報データにおけるデータ区分毎に変化する情報データを抽出し、抽出された情報データを送出することを特徴とする請求の範囲第１１項記載の暗号化装置。
【請求項１３】
情報データ送出部が、演算処理部に供給されるディジタル情報データがディジタル映像信号をあらわすデータとされるもとで、該ディジタル映像信号をあらわすデータからライン番号データを抽出し、抽出されたライン番号データを送出することを特徴とする請求の範囲第１２項記載の暗号化装置。
【請求項１４】
ディジタル情報データに、該ディジタル情報データにおけるデータ区分毎に変化する情報データを挿入して、改変ディジタル情報データを得るデータ挿入部と、
該データ挿入部から得られる改変ディジタル情報データから、上記ディジタル情報データにおけるデータ区分毎に変化する情報データを抽出し、抽出された情報データを送出する情報データ送出部と、
鍵データを送出する鍵データ送出部と、
該鍵データ送出部から送出される鍵データと上記情報データ送出部から送出される情報データとについての演算処理を行って改変鍵データを形成し、該改変鍵データを送出する演算処理部と、
上記データ挿入部から得られる改変ディジタル情報データに、上記演算処理部から送出される改変鍵データに応じた暗号化処理を施して、暗号化されたディジタル情報データを得る暗号化部と、
を備えて構成される暗号化装置。
【請求項１５】
データ挿入部が、該データ挿入部に供給されるディジタル情報データがディジタル映像信号をあらわすデータとされるもとで、該ディジタル情報データにおけるフレーム区分毎に変化するフレーム番号データを上記ディジタル情報データに挿入して改変ディジタル情報データを得、情報データ送出部が、上記データ挿入部から得られる改変ディジタル情報データから、上記フレーム番号データを抽出し、抽出されたフレーム番号データを送出することを特徴とする請求の範囲第１４項記載の暗号化装置。
【請求項１６】
ディジタル情報データに、該ディジタル情報データにおけるデータ区分毎に変化する情報データを挿入して、第１の改変ディジタル情報データを得るデータ挿入部と、
該データ挿入部から得られる第１の改変ディジタル情報データから、上記ディジタル情報データにおけるデータ区分毎に変化する情報データを抽出し、抽出された情報データを送出する情報データ送出部と、
上記データ挿入部から得られる第１の改変ディジタル情報データと上記情報データ送出部から送出される情報データとについての演算処理を行って第２の改変ディジタル情報データを形成する演算処理部と、
鍵データを送出する鍵データ送出部と、
上記演算処理部から得られる第２の改変ディジタル情報データに、上記鍵データ送出部から送出される鍵データに応じた暗号化処理を施して、暗号化されたディジタル情報データを得る暗号化部と、
を備えて構成される暗号化装置。
【請求項１７】
データ挿入部が、該データ挿入部に供給されるディジタル情報データがディジタル映像信号をあらわすデータとされるもとで、該ディジタル情報データにおけるフレーム区分毎に変化するフレーム番号データを上記ディジタル情報データに挿入して第１の改変ディジタル情報データを得、情報データ送出部が、上記データ挿入部から得られる第１の改変ディジタル情報データから、上記フレーム番号データを抽出し、抽出されたフレーム番号データを送出することを特徴とする請求の範囲第１６項記載の暗号化装置。
【請求項１８】
ディジタル情報データに、該ディジタル情報データにおける第１のデータ区分毎に変化する情報データを挿入して、改変ディジタル情報データを得るデータ挿入部と、
該データ挿入部から得られる改変ディジタル情報データから、上記ディジタル情報データにおける第１のデータ区分毎に変化する情報データを抽出し、抽出された情報データを送出する第１の情報データ送出部と、
上記データ挿入部から得られる改変ディジタル情報データから、上記ディジタル情報データにおける第２のデータ区分毎に変化する情報データを抽出し、抽出された情報データを送出する第２の情報データ送出部と、
鍵データを送出する鍵データ送出部と、
該鍵データ送出部から送出される鍵データと上記第１及び第２の情報データ送出部の夫々から送出される情報データとについての演算処理を行って改変鍵データを形成し、該改変鍵データを送出する演算処理部と、
上記データ挿入部から得られる改変ディジタル情報データに、上記演算処理部から送出される改変鍵データに応じた暗号化処理を施して、暗号化されたディジタル情報データを得る暗号化部と、
を備えて構成される暗号化装置。
【請求項１９】
データ挿入部が、該データ挿入部に供給されるディジタル情報データがディジタル映像信号をあらわすデータとされるもとで、該ディジタル情報データにおけるフレーム区分毎に変化するフレーム番号データを上記ディジタル情報データに挿入して改変ディジタル情報データを得、第１の情報データ送出部が、上記データ挿入部から得られる改変ディジタル情報データから、上記フレーム番号データを抽出し、抽出されたフレーム番号データを送出するとともに、第２の情報データ送出部が、上記データ挿入部に供給されるディジタル情報データもしくは上記データ挿入部から得られる改変ディジタル情報データからライン番号データを抽出し、抽出されたライン番号データを送出することを特徴とする請求の範囲第１８項記載の暗号化装置。
【請求項２０】
ディジタル情報データに、該ディジタル情報データにおける第１のデータ区分毎に変化する情報データを挿入して、第１の改変ディジタル情報データを得るデータ挿入部と、
該データ挿入部から得られる第１の改変ディジタル情報データから、上記ディジタル情報データにおける第１のデータ区分毎に変化する情報データを抽出し、抽出された情報データを送出する第１の情報データ送出部と、
上記データ挿入部から得られる第１の改変ディジタル情報データから、上記ディジタル情報データにおける第２のデータ区分毎に変化する情報データを抽出し、抽出された情報データを送出する第２の情報データ送出部と、
上記データ挿入部から得られる第１の改変ディジタル情報データと、上記第１及び第２の情報データ送出部の夫々から送出される情報データとについての演算処理を行って第２の改変ディジタル情報データを形成し、該第２の改変ディジタル情報データを送出する演算処理部と、
鍵データを送出する鍵データ送出部と、
上記演算処理部から得られる第２の改変ディジタル情報データに、上記鍵データ送出部から送出される鍵データに応じた暗号化処理を施して、暗号化されたディジタル情報データを得る暗号化部と、
を備えて構成される暗号化装置。
【請求項２１】
データ挿入部が、該データ挿入部に供給されるディジタル情報データがディジタル映像信号をあらわすデータとされるもとで、該ディジタル情報データにおけるフレーム区分毎に変化するフレーム番号データを上記ディジタル情報データに挿入して第１の改変ディジタル情報データを得、第１の情報データ送出部が、上記データ挿入部から得られる第１の改変ディジタル情報データから、上記フレーム番号データを抽出し、抽出されたフレーム番号データを送出するとともに、第２の情報データ送出部が、上記データ挿入部に供給されるディジタル情報データもしくは上記データ挿入部から得られる第１の改変ディジタル情報データからライン番号データを抽出し、抽出されたライン番号データを送出することを特徴とする請求の範囲第２０項記載の暗号化装置。
【請求項２２】
入力データに鍵データにより定められる規則に従った暗号化を行って暗号データを形成する暗号形成部と、
暗号化されたディジタル情報データに、上記暗号形成部から得られる暗号データに基づく乱数データもしくは擬似乱数データに応じた復号化処理を施して、元のディジタル情報データを得る復号化部と、
初期値データが供給されるもとで上記暗号形成部に対する入力データを発生し、該入力データを上記暗号形成部に供給するデータ供給部と、
上記暗号化されたディジタル情報データにおけるデータ区分毎に変化する情報データを上記データ供給部に初期値データとして供給する初期値データ送出部と、
を備えて構成される復号化装置。
【請求項２３】
初期値データ送出部が、復号化部に供給される暗号化されたディジタル情報データから、該暗号化されたディジタル情報データにおけるデータ区分毎に変化する情報データを抽出することを特徴とする請求の範囲第２２項記載の復号化装置。
【請求項２４】
初期値データ送出部が、復号化部に供給される暗号化されるディジタル情報データがディジタル映像信号をあらわすデータとされるもとで、該ディジタル映像信号をあらわすデータからライン番号データを抽出して、抽出されたライン番号データをデータ供給部に初期値データとして供給することを特徴とする請求の範囲第２３項記載の復号化装置。
【請求項２５】
入力データに鍵データにより定められる規則に従った暗号化を行って暗号データを形成する暗号形成部と、
暗号化されたディジタル情報データに、上記暗号形成部から得られる暗号データに基づく乱数データもしくは擬似乱数データに応じた復号化処理を施して、元のディジタル情報データを得る復号化部と、
初期値データが供給されるもとで上記暗号形成部に対する入力データを発生し、該入力データを上記暗号形成部に供給するデータ供給部と、
上記復号化部に供給される暗号化されたディジタル情報データから、該暗号化されたディジタル情報データにおけるデータ区分毎に変化する情報データを抽出し、抽出された情報データを上記データ供給部に初期値データとして供給する初期値データ送出部と、
を備えて構成される復号化装置。
【請求項２６】
初期値データ送出部が、復号化部に供給される暗号化されたディジタル情報データがディジタル映像信号をあらわすデータとされるもとで、上記暗号化されたディジタル情報データからフレーム番号データを抽出し、抽出されたフレーム番号データをデータ供給部に初期値データとして供給することを特徴とする請求の範囲第２５項記載の復号化装置。
【請求項２７】
入力データに鍵データにより定められる規則に従った暗号化を行って暗号データを形成する暗号形成部と、
暗号化ディジタル情報データに、上記暗号形成部から得られる暗号データに基づく乱数データもしくは擬似乱数データに応じた復号化処理を施して、元のディジタル情報データを得る復号化部と、
初期値データが供給されるもとで上記暗号形成部に対する入力データを発生し、該入力データを上記暗号形成部に供給するデータ供給部と、
上記復号化部に供給される暗号化されたディジタル情報データから、該暗号化されたディジタル情報データにおける第１のデータ区分毎に変化する情報データを抽出し、抽出された情報データを上記データ供給部に初期値データとして供給する第１の初期値データ送出部と、
上記復号化部に供給される暗号化されたディジタル情報データから、該暗号化されたディジタル情報データにおける第２のデータ区分毎に変化する情報データを抽出し、抽出された情報データを上記データ供給部に初期値データとして供給する第２の初期値データ送出部と、
を備えて構成される復号化装置。
【請求項２８】
第１の初期値データ送出部が、復号化部に供給される暗号化されたディジタル情報データがディジタル映像信号をあらわすデータとされるもとで、上記暗号化されたディジタル情報データから、フレーム番号データを抽出し、抽出されたフレーム番号データをデータ供給部に初期値データとして供給するとともに、第２の初期値データ送出部が、上記復号化部に供給される暗号化されたディジタル情報データがディジタル映像信号をあらわすデータとされるもとで、上記暗号化されたディジタル情報データから、ライン番号データを抽出し、抽出されたライン番号データを上記データ供給部に初期値データとして供給することを特徴とする請求の範囲第２７項記載の復号化装置。
【請求項２９】
鍵データを送出する鍵データ送出部と、
暗号化されたディジタル情報データに、上記鍵データ送出部から送出される鍵データに基づく改変鍵データに応じた復号化処理を施して、元のディジタル情報データを得る復号化部と、
上記暗号化ディジタル情報データにおけるデータ区分毎に変化する情報データを送出する情報データ送出部と、
上記鍵データ送出部から送出される鍵データと上記情報データ送出部から送出される情報データとについての演算処理を行って上記改変鍵データを形成し、該改変鍵データを上記復号化部に供給する演算処理部と、
を備えて構成される復号化装置。
【請求項３０】
情報データ送出部が、復号化部に供給される暗号化されたディジタル情報データから、該暗号化されたディジタル情報データにおけるデータ区分毎に変化する情報データを抽出することを特徴とする請求の範囲第２９項記載の復号化装置。
【請求項３１】
情報データ送出部が、復号化部に供給される暗号化されたディジタル情報データがディジタル映像信号をあらわすデータとされるもとで、該ディジタル映像信号をあらわすデータからライン番号データを抽出することを特徴とする請求の範囲第３０項記載の復号化装置。
【請求項３２】
暗号化されたディジタル情報データにおけるデータ区分毎に変化する情報データを送出する情報データ送出部と、
上記暗号化されたディジタル情報データと上記情報データ送出部から送出される情報データとについての演算処理を行って改変暗号化ディジタル情報データを形成する演算処理部と、
鍵データを送出する鍵データ送出部と、
上記演算処理部から得られる改変暗号化ディジタル情報データに、上記鍵データ送出部から送出される鍵データに応じた復号化処理を施して、元のディジタル情報データを得る復号化部と、
を備えて構成される復号化装置。
【請求項３３】
情報データ送出部が、演算処理部に供給される暗号化されたディジタル情報データから、該暗号化されたディジタル情報データにおけるデータ区分毎に変化する情報データを抽出し、抽出された情報データを送出することを特徴とする請求の範囲第３２項記載の復号化装置。
【請求項３４】
情報データ送出部が、演算処理部に供給される暗号化されたディジタル情報データがディジタル映像信号をあらわすデータとされるもとで、該ディジタル映像信号をあらわすデータからライン番号データを抽出し、抽出されたライン番号データを送出することを特徴とする請求の範囲第３３項記載の復号化装置。
【請求項３５】
暗号化されたディジタル情報データから、該暗号化されたディジタル情報データにおけるデータ区分毎に変化する情報データを抽出し、抽出された情報データを送出する情報データ送出部と、
鍵データを送出する鍵データ送出部と、
該鍵データ送出部から送出される鍵データと上記情報データ送出部から送出される情報データとについての演算処理を行って改変鍵データを形成し、該改変鍵データを送出する演算処理部と、
上記暗号化されたディジタル情報データに、上記演算処理部から送出される改変鍵データに応じた復号化処理を施して、元のディジタル情報データを得る復号化部と、
を備えて構成される復号化装置。
【請求項３６】
情報データ送出部が、暗号化されたディジタル情報データがディジタル映像信号をあらわすデータとされるもとで、該ディジタル映像信号をあらわすデータからフレーム番号データを抽出し、抽出されたフレーム番号データを送出することを特徴とする請求の範囲第３５項記載の復号化装置。
【請求項３７】
暗号化されたディジタル情報データから、該暗号化されたディジタル情報データにおけるデータ区分毎に変化する情報データを抽出し、抽出された情報データを送出する情報データ送出部と、
上記暗号化されたディジタル情報データと上記情報データ送出部から送出される情報データとについての演算処理を行って改変暗号化ディジタル情報データを形成する演算処理部と、
鍵データを送出する鍵データ送出部と、
上記演算処理部から得られる改変暗号化ディジタル情報データに、上記鍵データ送出部から送出される鍵データに応じた復号化処理を施して、元のディジタル情報データを得る復号化部と、
を備えて構成される復号化装置。
【請求項３８】
情報データ送出部が、暗号化ディジタル情報データがディジタル映像信号をあらわすデータとされるもとで、該ディジタル映像信号をあらわすデータからフレーム番号データを抽出し、抽出されたフレーム番号データを送出することを特徴とする請求の範囲第３７項記載の復号化装置。
【請求項３９】
暗号化されたディジタル情報データから、該暗号化されたディジタル情報データにおける第１のデータ区分毎に変化する情報データを抽出し、抽出された情報データを送出する第１の情報データ送出部と、
上記暗号化されたディジタル情報データから、該暗号化されたディジタル情報データにおける第２のデータ区分毎に変化する情報データを抽出し、抽出された情報データを送出する第２の情報データ送出部と、
鍵データを送出する鍵データ送出部と、
該鍵データ送出部から送出される鍵データと上記第１及び第２の情報データ送出部の夫々から送出される情報データとについての演算処理を行って改変鍵データを形成し、該改変鍵データを送出する演算処理部と、
上記暗号化されたディジタル情報データに、上記演算処理部から送出される改変鍵データに応じた復号化処理を施して、元のディジタル情報データを得る復号化部と、
を備えて構成される復号化装置。
【請求項４０】
第１の情報データ送出部が、暗号化されたディジタル情報データがディジタル映像信号をあらわすデータとされるもとで、該ディジタル映像信号をあらわすデータからフレーム番号データを抽出し、抽出されたフレーム番号データを送出するとともに、第２の情報データ送出部が、暗号化されたディジタル情報データがディジタル映像信号をあらわすデータとされるもとで、該ディジタル映像信号をあらわすデータからライン番号データを抽出し、抽出されたライン番号データを送出することを特徴とする請求の範囲第３９項記載の復号化装置。
【請求項４１】
暗号化されたディジタル情報データから、該暗号化されたディジタル情報データにおける第１のデータ区分毎に変化する情報データを抽出し、抽出された情報データを送出する第１の情報データ送出部と、
上記暗号化されたディジタル情報データから、該暗号化されたディジタル情報データにおける第２のデータ区分毎に変化する情報データを抽出し、抽出された情報データを送出する第２の情報データ送出部と、
上記暗号化されたディジタル情報データと上記第１及び第２の情報データ送出部の夫々から送出される情報データとについての演算処理を行って、改変暗号化ディジタル情報データを形成し、該改変暗号化ディジタル情報データを送出する演算処理部と、
鍵データを送出する鍵データ送出部と、
上記演算処理部から得られる改変暗号化ディジタル情報データに、上記鍵データ送出部から送出される鍵データに応じた復号化処理を施して、元のディジタル情報データを得る復号化部と、
を備えて構成される復号化装置。
【請求項４２】
第１の情報データ送出部が、暗号化されたディジタル情報データがディジタル映像信号をあらわすデータとされるもとで、該ディジタル映像信号をあらわすデータからフレーム番号データを抽出し、抽出されたフレーム番号データを送出するとともに、第２の情報データ送出部が、暗号化されたディジタル情報データがディジタル映像信号をあらわすデータとされるもとで、該ディジタル映像信号をあらわすデータからライン番号データを抽出し、抽出されたライン番号データを送出することを特徴とする請求の範囲第４１項記載の復号化装置。
【発明の詳細な説明】
技術分野
本願の請求の範囲に記載された発明は、ディジタル情報データに暗号化処理を施して暗号化されたディジタル情報データを得る暗号化装置、及び、暗号化されたディジタル情報データに復号化処理を施して元のディジタル情報データを得る復号化装置に関する。
背景技術
各種の信号情報等をあらわすディジタルデータの伝送にあたり、データ伝送路上での盗聴を防止すべく、送信側において、伝送するディジタルデータを暗号化し、受信側において、暗号化されたディジタルデータについての復号化を行って元のディジタルデータを得るようになすことが提案されている。このようなディジタルデータの暗号化にあたっての代表的な暗号アルゴリズムとして、１９７７年に米国商務省標準局（ＮＢＳ）が公布したＤＥＳ（Ｄａｔａ  Ｅｎｃｒｙｐｔｉｏｎ  Ｓｔａｎｄａｒｄ）方式が知られている。
ＤＥＳ方式による暗号化伝送にあっては、ディジタルデータが別途用意される鍵データ（暗号化鍵データ）により定められる規則に従って暗号化されるとともに、暗号化されたディジタルデータが別途用意される鍵データ（復号化鍵データ）により定められる規則に従って復号化され、その際、暗号化鍵データと復号化鍵データとは同じ鍵データ（共通鍵データ）とされる。そして、暗号化及び復号化のためのアルゴリズム自体は公開されており、共通鍵データが秘密に維持されることにより守秘機能が果たされる。
図１は、ＤＥＳ方式による暗号化伝送システムの基本的構成を示す。この図１に示される基本構成にあっては、伝送されるべきディジタルデータが、元データとして、ＤＥＳ暗号化部１１に供給される。ＤＥＳ暗号化部１１には予め用意された暗号化鍵データも供給され、ＤＥＳ暗号化部１１において、元データに暗号化鍵データによって定められる規則に従ったＤＥＳ方式による暗号化処理が施されて、暗号化データが形成される。そして、ＤＥＳ暗号化部１１から暗号化データが送出され、一端がＤＥＳ暗号化部１１に接続されたデータ伝送路１２を通じて伝送される。
データ伝送路１２を通じて伝送された暗号化データは、データ伝送路１２の他端に接続されたＤＥＳ復号化部１３に供給される。ＤＥＳ復号化部１３には暗号化鍵データと同一の内容を有するものとされた復号化鍵データも供給され、ＤＥＳ復号化部１３において、暗号化データに復号化鍵データによって定められる規則に従ったＤＥＳ方式による復号化処理が施されて、元データが再生される。
一方、映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン（Ｈｉｇｈ  Ｄｅｆｉｎｉｔｉｏｎ  Ｔｅｌｅｖｉｓｉｏｎ：ＨＤＴＶ）システム等が提案されている。ＨＤＴＶシステムのもとにおけるディジタル映像信号（以下、ＨＤ信号という）は、例えば、ＢＴＡ（Ｂｒｏａｄｃａｓｔｉｎｇ  Ｔｅｃｈｎｏｌｏｇｙ  Ａｓｓｏｃｉａｔｉｏｎ：放送技術開発協議会）により制定された規格ＢＴＡ  Ｓ−００２に従って形成され、Ｙ，ＰＢ／ＰＲ形式のものとＧ，Ｂ，Ｒ形式のものとがある。Ｙ，ＰＢ／ＰＲ形式の場合、Ｙは輝度信号を意味し、ＰＢ／ＰＲは色差信号を意味する。また、Ｇ，Ｂ，Ｒ形式の場合、Ｇ，Ｂ及びＲは、夫々、緑色原色信号，青色原色信号及び赤色原色信号を意味する。
このようなＨＤ信号は、例えば、各フレーム期間が第１フィールド期間と第２フィールド期間とに分けられるもとで、フレームレートを３０Ｈｚ（フィールドレートは６０Ｈｚ）とし、各フレーム期間におけるライン数を１１２５ラインとし、ラインあたりのデータサンプル数を２，２００サンプルとし、サンプリング周波数を７４．２５ＭＨｚとするものとされる。そして、例えば、Ｙ，ＰＢ／ＰＲ形式のＨＤ信号は、図２に示される如くのデータフォーマットに従うものとされる。
図２に示されるデータフォーマットにおいて、図２のＡは、映像信号における輝度信号成分をあらわす輝度信号データ系列（Ｙデータ系列）における各ライン分の一部を示し、図２のＢは、映像信号における色差信号成分をあらわす色差信号データ系列（ＰＢ／ＰＲデータ系列）における各ライン分の一部を示している。Ｙデータ系列及びＰＢ／ＰＲデータ系列の夫々を形成するワードデータの各々は、例えば、１０ビット構成とされる。即ち、Ｙデータ系列及びＰＢ／ＰＲデータ系列の夫々は、例えば、１０ビットワードが連なって形成される１０ビットワード列データであり、ワード伝送レートは、例えば、７４．２５Ｍｗｐｓとされる。
Ｙデータ系列にあっては、各ライン分がラインブランキング部に映像データ部が連なって形成され、各映像データ部の直前に、各々が１０ビット構成とされる４ワード（３ＦＦ（Ｙ），０００（Ｙ），０００（Ｙ）及びＸＹＺ（Ｙ）；３ＦＦ及び０００の夫々は１６進表示であって、１６進表示であることをあらわす“ｈ”が付されて３ＦＦｈ及び０００ｈと記され、また、（Ｙ）はＹデータ系列中のワードであることをあらわす。）から成るタイミング基準コードデータ（ＳＡＶ：Ｓｔａｒｔ  ｏｆ  Ａｃｔｉｖｅ  Ｖｉｄｅｏ）が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ：Ｅｎｄ  ｏｆ  Ａｃｔｉｖｅ  Ｖｉｄｅｏ）が配される。同様にして、ＰＢ／ＰＲデータ系列にあっても、各映像データ部の直前に、各々が１０ビット構成とされる４ワード（３ＦＦ（Ｃ），０００（Ｃ），０００（Ｃ），ＸＹＺ（Ｃ）；（Ｃ）はＰＢ／ＰＲデータ系列中のワードであることをあらわす。）から成るＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るＥＡＶが配される。勿論、Ｙデータ系列中のＥＡＶ及びＳＡＶの夫々は、Ｙデータ系列における各ラインブランキング部に配され、また、ＰＢ／ＰＲデータ系列中のＥＡＶ及びＳＡＶの夫々は、ＰＢ／ＰＲデータ系列における各ラインブランキング部に配される。
４ワード（３ＦＦ（Ｙ），０００（Ｙ），０００（Ｙ），ＸＹＺ（Ｙ）もしくは３ＦＦ（Ｃ），０００（Ｃ），０００（Ｃ），ＸＹＺ（Ｃ））については、始めの３ワード（３ＦＦ（Ｙ），０００（Ｙ），０００（Ｙ）もしくは３ＦＦ（Ｃ），０００（Ｃ），０００（Ｃ））が、ワード同期あるいはライン同期を確立するためのものであり、また、最後の１ワード（ＸＹＺ（Ｙ）もしくはＸＹＺ（Ｃ））が、同一フレームにおける第１フィールドと第２フィールドとの識別のため、あるいは、タイミング基準コードデータＥＡＶとタイミング基準コードデータＳＡＶとの識別のためのものである。
Ｙデータ系列及びＰＢ／ＰＲデータ系列の夫々における各ラインブランキング部のタイミング基準コードデータＥＡＶとタイミング基準コードデータＳＡＶとの間には、各フレーム分を形成するライン分の夫々の番号（ライン番号）をあらわすライン番号データＬＮ０（Ｙ）及びＬＮ１（Ｙ）もしくはＬＮ０（Ｃ）及びＬＮ１（Ｃ），誤り検出符号データＹＣＲ０及びＹＣＲ１もしくはＣＣＲ０及びＣＣＲ１、及び、音声データ等を含む補助データＹＡ０，ＹＡ１，・・・，ＹＡ２６７もしくはＣＡ０，ＣＡ１，・・・，ＣＡ２６７が配される。
上述のＹデータ系列及びＰＢ／ＰＲデータ系列から成るＨＤ信号が伝送されるに際しては、データ伝送路が簡略化されることからして、ワード列データからシリアルデータに変換されて伝送されるシリアル伝送が望まれることになる。そして、Ｙデータ系列及びＰＢ／ＰＲデータ系列を含んで形成されるＨＤ信号のシリアル伝送に関しては、前述のＢＴＡによって制定された規格であるＢＴＡ  Ｓ−００４によるＨＤ  ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）に準拠した伝送を行うことが規格化されている。
ＨＤ  ＳＤＩに準拠した伝送にあっては、Ｙデータ系列及びＰＢ／ＰＲデータ系列に、各々におけるＥＡＶ及びＳＡＶが配されたラインブランキング部が同期せしめられたもとでのワード多重化処理が施されて、図３に示される如くのワード多重データ系列が、ワード伝送レートを７４．２５Ｍｗｐｓ×２＝１４８．５Ｍｗｐｓとする１０ビットワード列データとして形成される。このワード多重データ系列にあっては、各映像データ部の直前に、各々が１０ビット構成とされる８ワード（３ＦＦ（Ｃ），３ＦＦ（Ｙ），０００（Ｃ），０００（Ｙ），０００（Ｃ），０００（Ｙ），ＸＹＺ（Ｃ），ＸＹＺ（Ｙ））から成る多重タイミング基準コードデータ（多重ＳＡＶ）が配されるとともに、各映像データ部の直後に、各々が１０ビット構成とされる８ワード（３ＦＦ（Ｃ），３ＦＦ（Ｙ），０００（Ｃ），０００（Ｙ），０００（Ｃ），０００（Ｙ），ＸＹＺ（Ｃ），ＸＹＺ（Ｙ））から成る多重タイミング基準コードデータ（多重ＥＡＶ）が配されることになる。
そして、ワード多重データ系列が、それを構成する各１０ビットワードについて、最下位ビット（ＬＳＢ）から最上位ビット（ＭＳＢ）までが順次送り出されることにより、パラレルデータからシリアルデータに変換され、さらに、そのシリアルデータにスクランブル処理が施されてシリアル伝送ＨＤ信号（以下、ＨＤ−ＳＤＩ信号という）とされて、そのＨＤ−ＳＤＩ信号がデータ伝送路を通じての伝送に供される。斯かるＨＤ−ＳＤＩ信号は、ビット伝送レートが、例えば、１４８．５Ｍｗｐｓ×１０ｂｉｔ＝１．４８５Ｇｂｐｓとされる。
ＨＤ−ＳＤＩ信号がデータ伝送路を通じての伝送に供される際にも、データ伝送路での盗聴を防止すべく、送信側において、ＨＤ−ＳＤＩ信号を暗号化し、受信側おいて、暗号化されたＨＤ−ＳＤＩ信号についての復号化を行って元のＨＤ−ＳＤＩ信号を得るようになすことが望まれる場合が考えられる。このような、ＨＤ−ＳＤＩ信号についての暗号化伝送は、原理的には、前述の図１に基本構成が示されるＤＥＳ方式による暗号化伝送システムと同様な暗号化伝送システムをもって行うことができる。
例えば、ＨＤ信号をＨＤ  ＳＤＩに準拠してＨＤ−ＳＤＩ信号に変換し、それをデータ伝送路を通じて伝送して、ＨＤ−ＳＤＩ信号をＨＤ  ＳＤＩに準拠してＨＤ信号に戻し、それを、画像表示を行うビデオプロジェクタ等のビデオ機器に供給する場合に、ＨＤ−ＳＤＩ信号についての暗号化伝送を行うとすると、図４に示される如くの暗号化伝送システムが考えられる。
図４に示される暗号化伝送システムにあっては、例えば、ビデオカメラ装置等から得られるＨＤ信号をＨＤ  ＳＤＩに準拠してＨＤ−ＳＤＩ信号に変換するＨＤ−ＳＤＩ信号送出部１５から送出されるＨＤ−ＳＤＩ信号ＤＨＳが、ＨＤ−ＳＤＩ暗号化部１６に供給される。ＨＤ−ＳＤＩ暗号化部１６には、予め用意された鍵データＤＥＹが供給される。ＨＤ−ＳＤＩ暗号化部１６においては、ＨＤ−ＳＤＩ信号ＤＨＳが、それにシリアル／パラレル変換（Ｓ／Ｐ変換）処理が施されて、一旦、各々が１０ビットワード列データを成すＹデータ系列及びＰＢ／ＰＲデータ系列を含んで形成される元のＨＤ信号に戻され、そのＨＤ信号に鍵データＤＥＹにより定められる規則に従ったＤＥＳ方式による暗号化処理が施されて、暗号化ＨＤ信号が形成され、さらに、暗号化ＨＤ信号にパラレル／シリアル変換（Ｐ／Ｓ変換）処理が施されて暗号化シリアルデータＤＨＳＥが形成される。
ＨＤ信号に暗号化処理が施されて暗号化ＨＤ信号が形成されるにあたっては、例えば、図２のＡ及びＢに示されるＹデータ系列及びＰＢ／ＰＲデータ系列を含んで形成される、図５に示される如くのＨＤ信号の、各ライン分における映像データ部に配された映像データＤＶＶとそれに続くラインブランキング部の冒頭部分に配されたタイミング基準コードデータＥＡＶとを含む部分について暗号化処理が施され、それにより暗号化映像データが形成される。一方、各ラインブランキング部に配された諸データのうちのタイミング基準コードデータＥＡＶ以外のもの、即ち、各ライン分毎に順次変化していくライン番号をあらわすライン番号データＤＬＮ，誤り符号データＣＲＣＣ，音声データ等を含むものとされる補助データＤＡＡ及びタイミング基準コードデータＳＡＶは、暗号化処理が施されることなく、暗号化映像データと組み合わされる。その結果、各ラインブランキング部に配されたタイミング基準コードデータＥＡＶ以外の各データとそれに続く暗号化映像データとを含んだ暗号化ＨＤ信号が形成される。
そして、ＨＤ−ＳＤＩ暗号化部１６から暗号化シリアルデータＤＨＳＥが送出され、一端がＨＤ−ＳＤＩ暗号化部１６に接続されたデータ伝送路１７を通じて伝送される。
データ伝送路１７を通じて伝送された暗号化シリアルデータＤＨＳＥは、データ伝送路１７の他端に接続されたＨＤ−ＳＤＩ復号化部１８に供給される。ＨＤ−ＳＤＩ復号化部１８には、ＨＤ−ＳＤＩ暗号化部１６に供給される鍵データＤＥＹと同じものである鍵データＤＥＹも供給される。ＨＤ−ＳＤＩ復号化部１８においては、暗号化シリアルデータＤＨＳＥにＳ／Ｐ変換が施されて、各々が１０ビットワード列データを成し、暗号化された映像データ部を有するＹデータ系列及びＰＢ／ＰＲデータ系列を含んで形成される暗号化ＨＤ信号が得られ、その暗号化ＨＤ信号に鍵データＤＥＹにより定められる規則に従ったＤＥＳ方式による復号化処理が施されて、元のＹデータ系列及びＰＢ／ＰＲデータ系列を含んで形成されるＨＤ信号が再生される。
暗号化ＨＤ信号に復号化処理が施されて元のＹデータ系列及びＰＢ／ＰＲデータ系列を含んで形成されるＨＤ信号が再生されるにあたっては、暗号化ＨＤ信号の各ラインブランキング部における暗号化映像データについて復号化処理が施され、それにより、元の映像データＤＶＶとタイミング基準コードデータＥＡＶとが再生される。一方、各ラインブランキング部に配された諸データのうちのタイミング基準コードデータＥＡＶ以外のもの、即ち、ライン番号データＤＬＮ，誤り符号データＣＲＣＣ，補助データＤＡＡ及びタイミング基準コードデータＳＡＶは、そのまま取り出されて、再生された映像データＤＶＶ及びタイミング基準コードデータＥＡＶと組み合わされる。その結果、図５に示される如くの、元のＨＤ信号が得られる。
さらに、ＨＤ−ＳＤＩ復号化部１８においては、再生されたＨＤ信号に、ＨＤ  ＳＤＩに準拠したＹデータ系列及びＰＢ／ＰＲデータ系列の多重化及びそれにより得られるワード多重データ系列に対するＰ／Ｓ変換が行われて元のＨＤ−ＳＤＩ信号ＤＨＳが再生される。そして、ＨＤ−ＳＤＩ復号化部１８から得られるＨＤ−ＳＤＩ信号ＤＨＳが、ビデオ機器１９に供給され、ビデオ機器１９において、ＨＤ−ＳＤＩ信号ＤＨＳに基づくＨＤ信号が再生されて、そのＨＤ信号が画像表示等に供される。
上述のＨＤ−ＳＤＩ暗号化部１６において、ＨＤ信号における映像データＤＶＶ及びタイミング基準コードデータＥＡＶを含む部分に、鍵データＤＥＹによって定められる規則に従ったＤＥＳ方式による暗号化処理を施すために用いることができる暗号化回路として、例えば、図６，図８及び図１０に示される如くのものが、また、上述のＨＤ−ＳＤＩ復号化部１８において、暗号化ＨＤ信号における暗号化された映像データＤＶＶ及びタイミング基準コードデータＥＡＶを含む部分に鍵データＤＥＹによって定められる規則に従ったＤＥＳ方式による復号化処理を施すために用いることができる復号化回路として、例えば、図７，図９及び図１１に示される如くのものが提案されている。
図６に示される暗号化回路は、ｊビットワード列データ（ｊは正整数）を成すディジタル情報データＤＯＤが入力データとして供給される暗号化部２０と、鍵データＤＥＹを送出する鍵データ送出部２１とを備えて構成され、鍵データ送出部２１は、鍵データＤＥＹを暗号化部２０に供給する。暗号化部２０は、ディジタル情報データＤＯＤに、鍵データＤＥＹにより定められる規則に従った暗号化処理を施し、ディジタル情報データＤＯＤに基づくｊビットワード列データを成す暗号化されたディタルデータ（暗号化情報データ）ＤＸＤを形成して、それを送出する。
図８に示される暗号化回路は、ｊビットワード列データを成すディジタル情報データＤＯＤが入力データとして供給される暗号化部２０と、鍵データＤＥＹを送出する鍵データ送出部２１と、乱数発生部２２と、初期値データＤＩＴを送出してそれを乱数発生部２２に供給する初期値データ送出部２３とを備えて構成され、鍵データ送出部２１は、鍵データＤＥＹを乱数発生部２２に供給する。
乱数発生部２２にあっては、レジスタ部２５が、入力データに応答して、ｙビット構成（ｙはｊより大なる正整数）とされるレジスタ出力データＤＲＺを送出し、それを暗号形成部２６に供給する。このレジスタ部２５には、初期値データ送出部２３からの初期値データＤＩＴが供給される。
暗号形成部２６には、鍵データ送出部２１からの鍵データＤＥＹも供給され、暗号形成部２６は、レジスタ出力データＤＲＺについての鍵データＤＥＹによって定められる規則に従った暗号化を行い、ｙビット構成とされる暗号データＤＥＺを送出する。暗号形成部２６から得られる暗号データＤＥＺは、ビット取出部２７に供給される。ビット取出部２７は、暗号形成部２６から得られる暗号データＤＥＺを形成するｙビットのうちのｊビットを、擬似乱数データＤＸＡとして取り出す。ビット取出部２７から得られる擬似乱数データＤＸＡは、乱数発生部２２から送出されて、暗号化部２０に供給される。
なお、乱数発生部２２は、擬似乱数データＤＸＡに代えて、乱数データを発生するものとされる場合もあり、その際には、乱数発生部２２から送出される乱数データが暗号化部２０に供給される。
暗号化部２０にあっては、ディジタル情報データＤＯＤに対して、乱数発生部２２からの擬似乱数データＤＸＡもしくは乱数データに応じた暗号化処理を施し、ディジタル情報データＤＯＤに基づく、ｊビットワード列データを成す暗号化された暗号化情報データＤＸＤを送出する。
暗号化部２０から送出される暗号化情報データＤＸＤは、乱数発生部２２におけるビット数変換部２８に供給される。ビット数変換部２８は、ｊビットワード列データを成す暗号化情報データＤＸＤをｙビットワード列データに変換して帰還用データＤＦＤを形成し、それをレジスタ部２５に入力データとして供給して、レジスタ部２５に帰還をかける。
それゆえ、レジスタ部２５は、最初に、初期値データ送出部２３からの初期値データＤＩＴに応じたレジスタ出力データＤＲＺを送出し、その後は、ビット数変換部２８からの帰還用データＤＦＤに応じたレジスタ出力データＤＲＺを送出することになる。
図１０に示される暗号化回路は、図８に示される暗号化回路と略同様に構成されるが、乱数発生部２２が、図８に示されるビット数変換部２８に相当するものを備えていない。それに伴って、暗号化部２０から送出される暗号化情報データＤＸＤは乱数発生部２２に供給されず、暗号形成部２６から送出される暗号データＤＥＺが、ビット取出部２７に供給されるとともに、レジスタ部２５に入力データとして供給されて、レジスタ部２５に帰還をかける。全体の動作は、図８に示される暗号化回路の場合と同様である。
また、図７に示される復号化回路は、図６に示される暗号化回路によって形成された、ｊビットワード列データを成す暗号化情報データＤＸＤが入力データとして供給される復号化部３０と、鍵データＤＥＹを送出する鍵データ送出部３１とを備えて構成され、鍵データ送出部３１は、鍵データＤＥＹを復号化部３０に供給する。復号化部３０は、暗号化情報データＤＸＤに、鍵データＤＥＹにより定められる規則に従った復号化処理を施し、暗号化情報データＤＸＤに基づくｊビットワード列データを成す元のディジタル情報データＤＯＤを再生して、それを送出する。
図９に示される復号化回路は、図８に示される暗号化回路によって形成された、ｊビットワード列データを成す暗号化情報データＤＸＤが入力データとして供給される復号化部３０と、鍵データＤＥＹを送出する鍵データ送出部３１と、乱数発生部３２と、初期値データＤＩＴを送出してそれを乱数発生部３２に供給する初期値データ送出部３３とを備えて構成され、鍵データ送出部３１は、鍵データＤＥＹを乱数発生部３２に供給する。
乱数発生部３２は、図８に示される乱数発生部２２と同様に、レジスタ部２５，暗号形成部２６，ビット取出部２７及びビット数変換部２８を含んで構成され、ｊビット構成の擬似乱数データＤＸＡを復号化部３０に供給する。但し、乱数発生部３２におけるビット数変換部２８には、復号化部３０にも供給される暗号化情報データＤＸＤが供給され、ビット数変換部２８の出力データ（ＤＦＤ）が外部入力データとしてレジスタ部２５に供給される。また、鍵データ送出部３１及び初期値データ送出部３３は、夫々、図８に示される鍵データ送出部２１及び初期値データ送出部２３と同様のものである。
なお、乱数発生部３２は、擬似乱数データＤＸＡに代えて、乱数データを発生するものとされる場合もあり、その際には、乱数発生部３２から送出される乱数データが復号化部３０に供給される。
斯かるもとで、復号化部３０にあっては、暗号化情報データＤＸＤに対して、乱数発生部３２からの擬似乱数データＤＸＡもしくは乱数データに応じた復号化処理を施し、暗号化情報データＤＸＤに基づく元のディジタル情報データＤＯＤを再生して、それを送出する。
図１１に示される復号化回路は、図１０に示される暗号化回路によって形成された、ｊビットワード列データを成す暗号化情報データＤＸＤが入力データとして供給される復号化部３０を備えて、図９に示される復号化回路と略同様に構成されるが、乱数発生部３２が、図９に示されるビット数変換部２８に相当するものを備えていない。それに伴って、復号化部３０に供給される暗号化情報データＤＸＤは乱数発生部３２に供給されず、暗号形成部２６から送出される暗号データＤＥＺが、ビット取出部２７に供給されるとともに、レジスタ部２５に入力データとして供給して、レジスタ部２５に帰還をかける。全体の動作は、図９に示される復号化回路の場合と同様である。
ディジタル情報データに暗号化処理が施されて形成される暗号化情報データについて、その解読し難さを暗号強度ということとすると、ディジタル情報データの暗号化伝送にあたっては、その目的からして、暗号強度は大である程望ましい。
上述の図６に示される暗号化回路が用いられる場合には、入力データであるディジタル情報データＤＯＤの内容が同一である状態が継続すると、その間、暗号化情報データＤＸＤの内容も同一となってしまう。それに対して、図８あるいは図１０に示される暗号化回路が用いられる場合には、乱数発生部２２におけるレジスタ部２５に帰還がかけられるので、入力データであるディジタル情報データＤＯＤの内容が同一である状態が継続しても、その間、暗号化情報データＤＸＤの内容が同一となってしまうことがない。
それゆえ、図６に示される暗号化回路による暗号化に比して、図８あるいは図１０に示される暗号化回路による暗号化の方が暗号強度が大とされることになる。従って、ＨＤ−ＳＤＩ信号についての暗号化伝送においてＨＤ信号に暗号化処理を施すにあたっては、図８あるいは図１０に示される如くの暗号化回路が用いられることが望ましい。
図８あるいは図１０に示される如くの暗号化回路が用いられて、ＨＤ信号に暗号化処理が施される場合、暗号化ＨＤ信号から元のＨＤ信号を再生するにあたっては、図９あるいは図１１に示される如くの復号化回路が用いられる。その際、暗号化回路と復号化回路との夫々において同じタイミングをもって同じ擬似乱数データもしくは乱数データを発生させる必要があるので、通常、暗号化回路及び復号化回路の夫々の乱数発生部２２及び３２におけるレジスタ部２５に供給される初期値データＤＩＴが共通の同じ値をあらわすものに固定される。
そして、図８あるいは図１０に示される如くの暗号化回路が用いられて、ＨＤ信号に暗号化処理が施されるにあたっては、暗号化ＨＤ信号にＰ／Ｓ変換が施されて得られるシリアルデータが伝送される際における誤伝送の可能性が考慮されて、暗号化されるＨＤ信号の各ライン分毎に、乱数発生部２２の動作がリセットされる。そのため、図８に示される暗号化回路が用いられる場合には、暗号化されるＨＤ信号があらわす映像内容が全体に亙って均一色である場合等において、当該ＨＤ信号の各ライン分について発生する擬似乱数データもしくは乱数データが同じとされる。また、図１０に示される暗号化回路が用いられる場合には、暗号化されるＨＤ信号があらわす映像内容にかかわらず、当該ＨＤ信号の各ライン分について発生する擬似乱数データもしくは乱数データが同じとされる。
このように、暗号化されるＨＤ信号の各ライン分について発生する擬似乱数データもしくは乱数データが同じとされると、暗号化ＨＤ信号から元のＨＤ信号があらわす映像内容を推測することが容易とされて、暗号強度の低下がもたらされることになってしまう。
さらに、図８に示される暗号化回路が用いられる場合、暗号化されるＨＤ信号の複数フレーム分が、例えば、静止画像に対応するものであって、あらわす映像内容が同一のものとされるとき、その間、当該ＨＤ信号の各フレーム分毎に見て同じとなる擬似乱数データもしくは乱数データが発生せしめられる。また、図１０に示される暗号化回路が用いられる場合には、暗号化されるＨＤ信号があらわす映像内容にかかわらず、当該ＨＤ信号の各フレーム分毎に見ても同じとなる擬似乱数データもしくは乱数データが発生せしめられる。
暗号化されるＨＤ信号の各フレーム分毎に見て同じとなる擬似乱数データもしくは乱数データが発生せしめられることも、暗号化ＨＤ信号から元のＨＤ信号があらわす映像内容を推測することを容易とすることになり、暗号強度の低下をもたらす要因となってしまう。
斯かる点に鑑み、本願の請求の範囲に記載された発明は、例えば、ＨＤ−ＳＤＩ信号にＳ／Ｐ変換処理が施されて得られるＨＤ信号の如くの、複数のデータ区分が設けられるディジタル情報データに、鍵データに応じた暗号化処理、あるいは、鍵データに従って形成された乱数データもしくは擬似乱数データに応じた暗号化処理、を施して暗号化情報データを得るにあたり、暗号強度の改善を図ることができる暗号化装置、及び、ディジタル情報データに暗号強度の改善が図られることになる暗号化処理が施されて得られた暗号化情報データに復号化処理を施して、例えば、ＨＤ−ＳＤＩ信号にＳ／Ｐ変換処理が施されて得られるＨＤ信号の如くの、複数のデータ区分が設けられる元のディジタル情報データを得ることができる復号化装置を提供する。
発明の開示
本願の請求の範囲における第１項から第３項までのいずれかに記載された発明に係る暗号化装置は、入力データに鍵データにより定められる規則に従った暗号化を行って暗号データを形成する暗号形成部と、ディジタル情報データに、暗号形成部から得られる暗号データに基づく乱数データもしくは擬似乱数データに応じた暗号化処理を施して、暗号化情報データを得る暗号化部と、初期値データが供給されるもとで暗号形成部に対する入力データを発生してそれを暗号形成部に供給するデータ供給部と、暗号化部に供給されるディジタル情報データにおけるデータ区分毎に変化する情報データを、データ供給部に初期値データとして供給する初期値データ送出部と、を備えて構成される。
本願の請求の範囲における第４項または第５項に記載された発明に係る暗号化装置は、ディジタル情報データに、それにおけるデータ区分毎に変化する情報データを挿入して、改変ディジタル情報データを得るデータ挿入部と、入力データに鍵データにより定められる規則に従った暗号化を行って暗号データを形成する暗号形成部と、データ挿入部から得られる改変ディジタル情報データに、暗号形成部から得られる暗号データに基づく乱数データもしくは擬似乱数データに応じた暗号化処理を施して、暗号化情報データを得る暗号化部と、初期値データが供給されるもとで暗号形成部に対する入力データを発生してそれを暗号形成部に供給するデータ供給部と、データ挿入部から得られる改変ディジタル情報データから、データ挿入部に供給されるディジタル情報データにおけるデータ区分毎に変化する情報データを抽出し、抽出された情報データをデータ供給部に初期値データとして供給する初期値データ送出部と、を備えて構成される。
本願の請求の範囲における第６項または第７項に記載された発明に係る暗号化装置は、ディジタル情報データに、それにおける第１のデータ区分毎に変化する情報データを挿入して、改変ディジタル情報データを得るデータ挿入部と、入力データに鍵データにより定められる規則に従った暗号化を行って暗号データを形成する暗号形成部と、データ挿入部から得られる改変ディジタル情報データに、暗号形成部から得られる暗号データに基づく乱数データもしくは擬似乱数データに応じた暗号化処理を施して、暗号化情報データを得る暗号化部と、初期値データが供給されるもとで暗号形成部に対する入力データを発生してそれを暗号形成部に供給するデータ供給部と、データ挿入部から得られる改変ディジタル情報データから、データ挿入部に供給されるディジタル情報データにおける第１のデータ区分毎に変化する情報データを抽出し、抽出された情報データをデータ供給部に初期値データとして供給する第１の初期値データ送出部と、データ挿入部に供給されるディジタル情報データもしくはデータ挿入部から得られる改変ディジタル情報データから、データ挿入部に供給されるディジタル情報データにおける第２のデータ区分毎に変化する情報データを抽出し、抽出された情報データをデータ供給部に初期値データとして供給する第２の初期値データ送出部と、を備えて構成される。
本願の請求の範囲における第８項から第１０項までのいずれかに記載された発明に係る暗号化装置は、鍵データを送出する鍵データ送出部と、ディジタル情報データに、鍵データ送出部から送出される鍵データに基づく改変鍵データに応じた暗号化処理を施して、暗号化情報データを得る暗号化部と、暗号化部に供給されるディジタル情報データにおけるデータ区分毎に変化する情報データを送出する情報データ送出部と、鍵データ送出部から送出される鍵データと情報データ送出部から送出される情報データとについての演算処理を行って改変鍵データを形成し、それを暗号化部に供給する演算処理部と、を備えて構成される。
本願の請求の範囲における第１１項から第１３項までのいずれかに記載された発明に係る暗号化装置は、ディジタル情報データにおけるデータ区分毎に変化する情報データを送出する情報データ送出部と、当該ディジタル情報データと情報データ送出部から送出される情報データとについての演算処理を行って改変ディジタル情報データを形成する演算処理部と、鍵データを送出する鍵データ送出部と、演算処理部から得られる改変ディジタル情報データに、鍵データ送出部から送出される鍵データに応じた暗号化処理を施して、暗号化情報データを得る暗号化部と、を備えて構成される。
本願の請求の範囲における第１４項または第１５項に記載された発明に係る暗号化装置は、ディジタル情報データに、それにおけるデータ区分毎に変化する情報データを挿入して、改変ディジタル情報データを得るデータ挿入部と、データ挿入部から得られる改変ディジタル情報データから、データ挿入部に供給されるディジタル情報データにおけるデータ区分毎に変化する情報データを抽出し、抽出された情報データを送出する情報データ送出部と、鍵データを送出する鍵データ送出部と、鍵データ送出部から送出される鍵データと情報データ送出部から送出される情報データとについての演算処理を行って改変鍵データを形成してそれを送出する演算処理部と、データ挿入部から得られる改変ディジタル情報データに、演算処理部から送出される改変鍵データに応じた暗号化処理を施して、暗号化情報データを得る暗号化部と、を備えて構成される。
本願の請求の範囲における第１６項または第１７項に記載された発明に係る暗号化装置は、ディジタル情報データに、それにおけるデータ区分毎に変化する情報データを挿入して、第１の改変ディジタル情報データを得るデータ挿入部と、データ挿入部から得られる第１の改変ディジタル情報データから、データ挿入部に供給されるディジタル情報データにおけるデータ区分毎に変化する情報データを抽出し、抽出された情報データを送出する情報データ送出部と、データ挿入部から得られる第１の改変ディジタル情報データと情報データ送出部から送出される情報データとについての演算処理を行って第２の改変ディジタル情報データを形成する演算処理部と、鍵データを送出する鍵データ送出部と、演算処理部から得られる第２の改変ディジタル情報データに、鍵データ送出部から送出される鍵データに応じた暗号化処理を施して、暗号化情報データを得る暗号化部と、を備えて構成される。
本願の請求の範囲における第１８項または第１９項に記載された発明に係る暗号化装置は、ディジタル情報データに、それにおける第１のデータ区分毎に変化する情報データを挿入して、改変ディジタル情報データを得るデータ挿入部と、データ挿入部から得られる改変ディジタル情報データから、データ挿入部に供給されるディジタル情報データにおける第１のデータ区分毎に変化する情報データを抽出し、抽出された情報データを送出する第１の情報データ送出部と、データ挿入部から得られる改変ディジタル情報データから、データ挿入部に供給されるディジタル情報データにおける第２のデータ区分毎に変化する情報データを抽出し、抽出された情報データを送出する第２の情報データ送出部と、鍵データを送出する鍵データ送出部と、鍵データ送出部から送出される鍵データと第１及び第２の情報データ送出部の夫々から送出される情報データとについての演算処理を行って改変鍵データを形成し、それを送出する演算処理部と、データ挿入部から得られる改変ディジタル情報データに、演算処理部から送出される改変鍵データに応じた暗号化処理を施して、暗号化情報データを得る暗号化部と、を備えて構成される。
本願の請求の範囲における第２０項または第２１項に記載された発明に係る暗号化装置は、ディジタル情報データに、それにおける第１のデータ区分毎に変化する情報データを挿入して、第１の改変ディジタル情報データを得るデータ挿入部と、データ挿入部から得られる第１の改変ディジタル情報データから、データ挿入部に供給されるディジタル情報データにおける第１のデータ区分毎に変化する情報データを抽出し、抽出された情報データを送出する第１の情報データ送出部と、データ挿入部から得られる第１の改変ディジタル情報データから、データ挿入部に供給されるディジタル情報データにおける第２のデータ区分毎に変化する情報データを抽出し、抽出された情報データを送出する第２の情報データ送出部と、データ挿入部から得られる第１の改変ディジタル情報データと、第１及び第２の情報データ送出部の夫々から送出される情報データとについての演算処理を行って第２の改変ディジタル情報データを形成し、それを送出する演算処理部と、鍵データを送出する鍵データ送出部と、演算処理部から得られる第２の改変ディジタル情報データに、鍵データ送出部から送出される鍵データに応じた暗号化処理を施して、暗号化情報データを得る暗号化部と、を備えて構成される。
本願の特許請求の範囲における請求項２２から請求項２４までのいずれかに記載された発明に係る復号化装置は、入力データに鍵データにより定められる規則に従った暗号化を行って暗号データを形成する暗号形成部と、暗号化情報データに、暗号形成部から得られる暗号データに基づく乱数データもしくは擬似乱数データに応じた復号化処理を施して、元のディジタル情報データを得る復号化部と、初期値データが供給されるもとで暗号形成部に対する入力データを発生してそれを暗号形成部に供給するデータ供給部と、暗号化情報データにおけるデータ区分毎に変化する情報データをデータ供給部に初期値データとして供給する初期値データ送出部と、を備えて構成される。
本願の請求の範囲における第２５項または第２６項に記載された発明に係る復号化装置は、入力データに鍵データにより定められる規則に従った暗号化を行って暗号データを形成する暗号形成部と、暗号化情報データに、暗号形成部から得られる暗号データに基づく乱数データもしくは擬似乱数データに応じた復号化処理を施して、元のディジタル情報データを得る復号化部と、初期値データが供給されるもとで暗号形成部に対する入力データを発生してそれを暗号形成部に供給するデータ供給部と、復号化部に供給される暗号化情報データから、それにおけるデータ区分毎に変化する情報データを抽出し、抽出された情報データをデータ供給部に初期値データとして供給する初期値データ送出部と、を備えて構成される。
本願の請求の範囲における第２７項または第２８項に記載された発明に係る復号化装置は、入力データに鍵データにより定められる規則に従った暗号化を行って暗号データを形成する暗号形成部と、暗号化ディジタル情報データに、暗号形成部から得られる暗号データに基づく乱数データもしくは擬似乱数データに応じた復号化処理を施して、元のディジタル情報データを得る復号化部と、初期値データが供給されるもとで暗号形成部に対する入力データを発生してそれを暗号形成部に供給するデー供給部と、復号化部に供給される暗号化情報データから、それにおける第１のデータ区分毎に変化する情報データを抽出し、抽出された情報データをデータ供給部に初期値データとして供給する第１の初期値データ送出部と、復号化部に供給される暗号化情報データから、それにおける第２のデータ区分毎に変化する情報データを抽出し、抽出された情報データをデータ供給部に初期値データとして供給する第２の初期値データ送出部と、を備えて構成される。
本願の請求の範囲における第２９項から第３１項までのいずれかに記載された発明に係る復号化装置は、鍵データを送出する鍵データ送出部と、暗号化情報データに、鍵データ送出部から送出される鍵データに基づく改変鍵データに応じた復号化処理を施して、元のディジタル情報データを得る復号化部と、復号化部に供給される暗号化情報データにおけるデータ区分毎に変化する情報データを送出する情報データ送出部と、鍵データ送出部から送出される鍵データと情報データ送出部から送出される情報データとについての演算処理を行って改変鍵データを形成し、それを復号化部に供給する演算処理部と、を備えて構成される。
本願の請求の範囲における第３２項から第３４項までのいずれかに記載された発明に係る復号化装置は、暗号化情報データにおけるデータ区分毎に変化する情報データを送出する情報データ送出部と、当該暗号化情報データと情報データ送出部から送出される情報データとについての演算処理を行って改変暗号化情報データを形成する演算処理部と、鍵データを送出する鍵データ送出部と、演算処理部から得られる改変暗号化情報データに、鍵データ送出部から送出される鍵データに応じた復号化処理を施して、元のディジタル情報データを得る復号化部と、を備えて構成される。
本願の請求の範囲における第３５項または第３６項に記載された発明に係る復号化装置は、暗号化情報データから、それにおけるデータ区分毎に変化する情報データを抽出し、抽出された情報データを送出する情報データ送出部と、鍵データを送出する鍵データ送出部と、鍵データ送出部から送出される鍵データと情報データ送出部から送出される情報データとについての演算処理を行って改変鍵データを形成し、それを送出する演算処理部と、情報データ送出部に供給される暗号化情報データに、演算処理部から送出される改変鍵データに応じた復号化処理を施して、元のディジタル情報データを得る復号化部と、を備えて構成される。
本願の請求の範囲における第３７項または第３８項に記載された発明に係る復号化装置は、暗号化されたディジタル情報データから、それにおけるデータ区分毎に変化する情報データを抽出し、抽出された情報データを送出する情報データ送出部と、当該暗号化情報データと情報データ送出部から送出される情報データとについての演算処理を行って改変暗号化情報データを形成する演算処理部と、鍵データを送出する鍵データ送出部と、演算処理部から得られる改変暗号化情報データに、鍵データ送出部から送出される鍵データに応じた復号化処理を施して、元のディジタル情報データを得る復号化部と、を備えて構成される。
本願の請求の範囲における第３９項または第４０項に記載された発明に係る復号化装置は、暗号化情報データから、それにおける第１のデータ区分毎に変化する情報データを抽出し、抽出された情報データを送出する第１の情報データ送出部と、第１の情報データ送出部に供給される暗号化情報データから、それにおける第２のデータ区分毎に変化する情報データを抽出し、抽出された情報データを送出する第２の情報データ送出部と、鍵データを送出する鍵データ送出部と、鍵データ送出部から送出される鍵データと第１及び第２の情報データ送出部の夫々から送出される情報データとについての演算処理を行って改変鍵データを形成し、それを送出する演算処理部と、第１及び第２の情報データ送出部に供給される暗号化情報データに、演算処理部から送出される改変鍵データに応じた復号化処理を施して、元のディジタル情報データを得る復号化部と、を備えて構成される。
本願の請求の範囲における第４１項または第４２項に記載された発明に係る復号化装置は、暗号化情報データから、それにおける第１のデータ区分毎に変化する情報データを抽出し、抽出された情報データを送出する第１の情報データ送出部と、第１の情報データ送出部に供給される暗号化情報データから、それにおける第２のデータ区分毎に変化する情報データを抽出し、抽出された情報データを送出する第２の情報データ送出部と、第１及び第２の情報データ送出部に供給される暗号化情報データと第１及び第２の情報データ送出部の夫々から送出される情報データとについての演算処理を行って、改変暗号化情報データを形成し、それを送出する演算処理部と、鍵データを送出する鍵データ送出部と、演算処理部から得られる改変暗号化情報データに、鍵データ送出部から送出される鍵データに応じた復号化処理を施して、元のディジタル情報データを得る復号化部と、を備えて構成される。
上述の如くの本願の請求の範囲における第１項から第７項までのいずれかに記載された発明に係る暗号化装置にあっては、暗号形成部に入力データを供給するデータ供給部に、それに対する初期値データとして、暗号化されるべきディジタル情報データにおけるデータ区分毎に変化する情報データを供給する初期値データ送出部が備えられることにより、擬似乱数データもしくは乱数データの形成に、暗号化されるべきディジタル情報データにおけるデータ区分毎のリセットがかけられるもとにあっても、暗号化されるべきディジタル情報データにおける各データ区分について発生する擬似乱数データもしくは乱数データが同じとされてしまう事態が防止される。
例えば、暗号化されるべきディジタル情報データがＨＤ信号とされる場合には、レジスタ部に、それに対する初期値データとして、暗号化されるべきＨＤ信号におけるライン分もしくはフレーム分毎に変化するライン番号データもしくはフレーム番号データ、あるいは、それら両方を供給する初期値データ送出部が備えられ、それにより、擬似乱数データもしくは乱数データの形成に、暗号化されるべきＨＤ信号における各ライン分毎のリセットがかけられるもとにあっても、暗号化されるべきＨＤ信号における各ライン分もしくは各フレーム分について発生する擬似乱数データもしくは乱数データが同じとされてしまう事態が防止されることになる。
その結果、暗号化情報データから元のディジタル情報データがあらわす情報内容を推測すること、例えば、暗号化ＨＤ信号から元のＨＤ信号があらわす映像内容を推測すること、が困難とされて、暗号強度の改善が図られる。
本願の請求の範囲における第８項から第１０項まで，第１４項，第１５項，第１８項及び第１９項のいずれかに記載された発明に係る暗号化装置にあっては、暗号化されるべきディジタル情報データにおけるデータ区分毎に変化する情報データを送出する情報データ送出部と、鍵データ送出部から送出される鍵データと情報データ送出部から送出される情報データとについての演算を行って改変鍵データを形成し、それを、暗号化されるべきディジタル情報データに基づく暗号化情報データを形成する暗号化部に供給する演算処理部と、が備えられることにより、暗号化されるべきディジタル情報データに基づく暗号化情報データを得るための暗号化に用いられる鍵データが、暗号化されるべきディジタル情報データにおけるデータ区分毎に変化するものに改変される。
例えば、暗号化されるべきディジタル情報データがＨＤ信号とされる場合には、暗号化されるＨＤ信号におけるライン分もしくはフレーム分毎に変化するライン番号データもしくはフレーム番号データ、あるいは、それら両方を送出する情報データ送出部と、鍵データ送出部から送出される鍵データと情報データ送出部から送出されるライン番号データもしくはフレーム番号データあるいはそれら両方とについての演算を行って改変鍵データを形成し、それを、暗号化されるべきＨＤ信号に基づく暗号化ＨＤ信号を形成する暗号化部に供給する演算処理部と、が備えられ、それにより、暗号化されるべきＨＤ信号に基づく暗号化ＨＤ信号を得るための暗号化に用いられる鍵データが、暗号化されるべきＨＤ信号における各ライン分毎もしくは各フレーム分毎に、あるいは、それら両方をもって、変化するものに改変されることになる。
その結果、暗号化情報データから元のディジタル情報データがあらわす情報内容を推測すること、例えば、暗号化ＨＤ信号から元のＨＤ信号があらわす映像内容を推測すること、が困難とされて、暗号強度の改善が図られることになる。
本願の請求の範囲における第１１項から第１３項まで，第１６項，第１７項，第２０項及び第２１項のいずれかに記載された発明に係る暗号化装置にあっては、暗号化されるべきディジタル情報データにおけるデータ区分毎に変化する情報データを送出する情報データ送出部と、当該暗号化されるべきディジタル情報データと情報データ送出部から送出される情報データとについての演算を行って改変ディジタル情報データを形成し、それを鍵データが供給される暗号化部に供給する演算処理部が備えられることにより、暗号化されるべきディジタル情報データが、それにおけるデータ区分毎に変化するものに改変されて、暗号化部において鍵データに応じて暗号化される。
例えば、暗号化されるべきディジタル情報データがＨＤ信号とされる場合には、暗号化されるべきＨＤ信号におけるライン分もしくはフレーム分毎に変化するライン番号データもしくはフレーム番号データ、あるいは、それら両方を送出する情報データ送出部と、当該暗号化されるべきＨＤ信号と情報データ送出部から送出されるライン番号データもしくはフレーム番号データ、あるいは、それら両方とについての演算を行って改変ＨＤ信号を形成し、それを鍵データが供給される暗号化部に供給する演算処理部が備えられ、それにより、暗号化されるＨＤ信号が、それにおける各ライン分毎もしくは各フレーム分毎にあるいはそれら両方をもって、変化するものに改変されて、暗号化部において鍵データに応じて暗号化されることになる。
その結果、暗号化情報データから元のディジタル情報データがあらわす情報内容を推測すること、例えば、暗号化ＨＤ信号から元のＨＤ信号があらわす映像内容を推測すること、が困難とされて、暗号強度の改善が図られることになる。
また、本願の請求の範囲における第２２項から第２８項までのいずれかに記載された発明に係る復号化装置にあっては、暗号形成部に入力データを供給するデータ供給部に、それに対する初期値データとして、暗号化情報データにおけるデータ区分毎に変化する情報データを供給する初期値データ送出部が備えられることにより、ディジタル情報データに暗号強度の改善が図られることになる暗号化処理が施されて得られた暗号化情報データに対しての、元のディジタル情報データを再生するための擬似乱数データもしくは乱数データに応じた復号化処理が、適正に行われることになる。
例えば、暗号化情報データが暗号化ＨＤ信号とされる場合には、暗号形成部に入力データを供給するデータ供給部に、それに対する初期値データとして、暗号化ＨＤ信号におけるライン分もしくはフレーム分毎に変化するライン番号データもしくはフレーム番号データあるいはそれら両方を供給する初期値データ送出部が備えられることにより、ＨＤ信号に暗号強度の改善が図られることになる暗号化処理が施されて得られた暗号化ＨＤ信号に対しての、元のＨＤ信号を再生するための擬似乱数データもしくは乱数データに応じた復号化処理が、適正に行われることになる。
本願の請求の範囲における第２９項から第３１項まで，第３５項，第３６項，第３９項及び第４０項のいずれかに記載された発明に係る復号化装置にあっては、暗号化情報データにおけるデータ区分毎に変化する情報データを送出する情報データ送出部と、鍵データ送出部から送出される鍵データと情報データ送出部から送出される情報データとについての演算を行って改変鍵データを形成し、それを暗号化情報データに基づく元のディジタル情報データを再生する復号化部に供給する演算処理部と、が備えられることにより、ディジタル情報データに暗号強度の改善が図られることになる暗号化処理が施されて得られた暗号化情報データに対しての、元のディジタル情報データを再生するための鍵データに応じた復号化処理が、適正に行われることになる。
例えば、暗号化されるべきディジタル情報データがＨＤ信号とされる場合には、暗号化ＨＤ信号におけるライン分もしくはフレーム分毎に変化するライン番号データもしくはフレーム番号データ、あるいは、それら両方を送出する情報データ送出部と、鍵データ送出部から送出される鍵データと情報データ送出部から送出されるライン番号データもしくはフレーム番号データあるいはそれら両方とについての演算を行って改変鍵データを形成し、それを、暗号化ＨＤ信号に基づく元のＨＤ信号を再生する復号化部に供給する演算処理部と、が備えられ、それにより、ＨＤ信号に暗号強度の改善が図られることになる暗号化処理が施されて得られた暗号化ＨＤ信号に対しての、元のＨＤ信号を再生するための鍵データに応じた復号化処理が、適正に行われることになる。
本願の請求の範囲における第３２項から第３４項まで，第３７項，第３８項，第４１項及び第４２項のいずれかに記載された発明に係る復号化装置にあっては、暗号化情報データにおけるデータ区分毎に変化する情報データを送出する情報データ送出部と、当該暗号化ディジタル情報データと情報データ送出部から送出される情報データとについての演算を行って改変ディジタル情報データを形成し、それを、鍵データが供給される復号化部に供給する演算処理部とが備えられることにより、ディジタル情報データに暗号強度の改善が図られることになる暗号化処理が施されて得られた暗号化情報データに対しての、元のディジタル情報データを再生するための鍵データに応じた復号化処理が、適正に行われることになる。
例えば、暗号化されるべきディジタル情報データがＨＤ信号とされる場合には、暗号化ＨＤ信号におけるライン分もしくはフレーム分毎に変化するライン番号データもしくはフレーム番号データ、あるいは、それら両方を送出する情報データ送出部と、当該暗号化ＨＤ信号と情報データ送出部から送出されるライン番号データもしくはフレーム番号データあるいはそれら両方とについての演算を行って改変ＨＤ信号を形成し、それを鍵データが供給される復号化部に供給する演算処理部とが備えられ、それにより、ＨＤ信号に暗号強度の改善が図られることになる暗号化処理が施されて得られた暗号化ＨＤ信号に対しての、元のＨＤ信号を再生するための鍵データに応じた復号化処理が、適正に行われることになる。
発明を実施するための最良の形態
図１２は、本願の請求の範囲における第１項から第３項までのいずれかに記載された発明に係る暗号化装置の一例を示す。
図１２に示される暗号化装置の例は、ｊビットワード列データを成すディジタル情報データである、図５に示される如くのＨＤ信号ＤＯＤが入力データとして供給される暗号化部４０と、乱数発生部４１と、鍵データＤＥＹを送出してそれを乱数発生部４１に供給する鍵データ送出部４２と、暗号化部４０にも供給されるＨＤ信号ＤＯＤが供給されるライン番号データ抽出部４３と、を備えて構成される。
ライン番号データ抽出部４３は、それに供給されるＨＤ信号ＤＯＤから、それに含まれる各ライン分毎に順次変化していくライン番号をあらわすライン番号データＤＬＮを抽出して、抽出されたライン番号データＤＬＮを乱数発生部４１に供給する。
乱数発生部４１にあっては、レジスタ部４４が、入力データに応答して、ｙビット構成とされるレジスタ出力データＤＲＺを送出し、それを暗号形成部４５に入力データとして供給する、データ供給部を形成するものとして備えられている。このレジスタ部４４においては、ライン番号データ抽出部４３からのライン番号データＤＬＮが供給されて、それが初期値データとされるとともに、それに応じて、暗号化部４０に供給されるＨＤ信号ＤＯＤにおける各ライン分毎に動作がリセットされる。これよりして、ライン番号データ抽出部４３は、ライン番号データＤＬＮを、乱数発生部４１におけるレジスタ部４４に対する初期値データとして送出する、初期値データ送出部を形成していることになる。
乱数発生部４１における暗号形成部４５には、鍵データ送出部４２からの鍵データＤＥＹも供給され、暗号形成部４５は、入力データであるレジスタ出力データＤＲＺについての鍵データＤＥＹによって定められる規則に従った暗号化を行い、ｙビット構成とされる暗号データＤＥＺを送出する。暗号形成部４５から得られる暗号データＤＥＺは、ビット取出部４６に供給される。ビット取出部４６は、暗号形成部４５から得られる暗号データＤＥＺを形成するｙビットのうちのｊビットを、擬似乱数データＤＺＡとして取り出す。ビット取出部４６から得られる擬似乱数データＤＺＡは、乱数発生部４１から送出されて、暗号化部４０に供給される。
なお、乱数発生部４１は、擬似乱数データＤＺＡに代えて、乱数データを発生するものとされる場合もあり、その際には、乱数発生部４１から送出される乱数データが暗号化部４０に供給される。
暗号化部４０にあっては、ＨＤ信号ＤＯＤに対して、乱数発生部４１からの擬似乱数データＤＺＡもしくは乱数データに応じた暗号化処理を施し、ｊビットワード列データを成す暗号化情報データである、ＨＤ信号に基づく暗号化ＨＤ信号ＤＸＤを送出する。斯かるＨＤ信号についての暗号化にあたっては、図５に示される如くのＨＤ信号の、各ライン分における映像データ部に配された映像データＤＶＶとそれに続くラインブランキング部の冒頭部分に配されたタイミング基準コードデータＥＡＶとを含む部分について暗号化処理が施され、それにより暗号化映像データが形成される。そして、各ラインブランキング部に配された諸データのうちのタイミング基準コードデータＥＡＶ以外のもの、即ち、ライン番号データＤＬＮ，誤り符号データＣＲＣＣ，補助データＤＡＡ及びタイミング基準コードデータＳＡＶが、暗号化処理が施されることなく、暗号化映像データに組み合わされる。その結果、各ラインブランキング部に配されたタイミング基準コードデータＥＡＶ以外の各データとそれに続く暗号化映像データとを含むものとされる暗号化ＨＤ信号が形成される。
暗号化部４０から送出される暗号化ＨＤ信号ＤＸＤは、乱数発生部４１におけるビット数変換部４７に供給される。ビット数変換部４７は、ｊビットワード列データを成す暗号化されたＤＨ信号ＤＸＤをｙビットワード列データに変換して帰還用データＤＦＤを形成し、それをレジスタ部４４に帰還する。
それゆえ、レジスタ部４４は、暗号化部４０に供給されるＨＤ信号ＤＯＤにおける各ライン分毎にその動作がリセットされる都度、先ず、ライン番号データ抽出部４３からのライン番号データＤＬＮに応じたレジスタ出力データＤＲＺを送出し、その後、ビット数変換部４７からの帰還用データＤＦＤに応じたレジスタ出力データＤＲＺを送出することになる。
図１３は、本願の請求の範囲における第２２項から第２４項までのいずれかに記載された発明に係る復号化装置の一例を示し、この復号化装置の例は、図１２に示される暗号化装置の例から得られる暗号化情報データである暗号化ＨＤ信号ＤＸＤに復号化処理を施して、元のディジタル情報データであるＨＤ信号ＤＯＤを再生するものとされる。
図１３に示される復号化装置の例は、図１２に示される暗号化装置の例によって形成された、ｊビットワード列データを成す暗号化情報データである、暗号化ＨＤ信号ＤＸＤが、入力データとして供給される復号化部５０と、乱数発生部５１と、鍵データＤＥＹを送出してそれを乱数発生部５１に供給する鍵データ送出部５２と、復号化部５０にも供給される暗号化ＨＤ信号ＤＸＤが供給されるライン番号データ抽出部５３と、を備えて構成される。
ライン番号データ抽出部５３は、それに供給される暗号化ＨＤ信号ＤＸＤから、それに含まれる各ライン分毎に順次変化していくライン番号をあらわすライン番号データＤＬＮを抽出して、抽出されたライン番号データＤＬＮを乱数発生部５１に供給する。
乱数発生部５１は、図１２に示される乱数発生部４１と同様に、暗号形成部４５，暗号形成部４５に入力データを供給するデータ供給部を形成するレジスタ部４４，ビット取出部４６及びビット数変換部４７を含んで構成され、ｊビット構成の擬似乱数データＤＺＡを復号化部５０に供給する。但し、乱数発生部５１におけるビット数変換部４７には、復号化部５０にも供給される暗号化ＨＤ信号ＤＸＤが供給され、ビット数変換部４７の出力データ（ＤＦＤ）が外部入力データとしてレジスタ部４４に供給される。また、鍵データ送出部５２は、図１２に示される鍵データ送出部４２と同様のものである。
従って、図１３に示される復号化装置の例にあっても、乱数発生部５１において、レジスタ部４４に、ライン番号データ抽出部５３からのライン番号データＤＬＮが供給されて、それが初期値データとされるとともに、それに応じて、復号化部５０に供給される暗号化ＨＤ信号ＤＸＤにおける各ライン分毎にレジスタ部４４の動作がリセットされる。それにより、ライン番号データ抽出部４３は、ライン番号データＤＬＮを、乱数発生部５１におけるレジスタ部４４に対する初期値データとして送出する、初期値データ送出部を形成していることになる。そして、レジスタ部４４は、復号化部５０に供給される暗号化ＨＤ信号ＤＸＤにおける各ライン分毎にその動作がリセットされる都度、先ず、ライン番号データ抽出部５３からのライン番号データＤＬＮに応じたレジスタ出力データＤＲＺを送出し、その後、ビット数変換部４７からの外部入力データＤＦＤに応じたレジスタ出力データＤＲＺを送出することになる。
なお、乱数発生部５１は、擬似乱数データＤＺＡに代えて、乱数データを発生するものとされる場合もあり、その際には、乱数発生部５１から送出される乱数データが復号化部５０に供給される。
斯かるもとで、復号化部５０にあっては、暗号化ＨＤ信号ＤＸＤに対して、乱数発生部５１からの擬似乱数データＤＺＡもしくは乱数データに応じた復号化処理を施し、ｊビットワード列データを成す元のディジタル情報データである、暗号化ＨＤ信号ＤＸＤに基づく元のＨＤ信号ＤＯＤを再生して、それを送出する。斯かる暗号化ＨＤ信号についての復号化にあたっては、暗号化ＨＤ信号の、各ライン分における暗号化映像データについて復号化処理が施され、それにより元のＨＤ信号の各ライン分における映像データ部に配された映像データＤＶＶとそれに続くラインブランキング部の冒頭部分に配されたタイミング基準コードデータＥＡＶとが再生される。そして、それらが、暗号化されていない各ラインブランキング部に配された諸データのうちのタイミング基準コードデータＥＡＶ以外のもの、即ち、ライン番号データＤＬＮ，誤り符号データＣＲＣＣ，補助データＤＡＡ及びタイミング基準コードデータＳＡＶと組み合わされる。その結果、各ラインブランキング部に配されたタイミング基準コードデータＥＡＶ以外の各データとそれに続く映像データとを含むものとされる元のＨＤ信号が再生される。
図１４は、本願の請求の範囲における第４項または第５項に記載された発明に係る暗号化装置の一例を示す。
図１４に示される暗号化装置の例にあっては、ｊビットワード列データを成すディジタル情報データである、図５に示される如くのＨＤ信号ＤＯＤが供給されるフレーム番号データ挿入部５５と、ＨＤ信号ＤＯＤにおける各フレーム分毎に順次変化していくフレーム番号をあらわすフレーム番号データＤＦＲをフレーム番号データ挿入部５５に供給するフレーム番号データ送出部５６とが設けられている。フレーム番号データ挿入部５５は、ＨＤ信号ＤＯＤにおける各ラインブランキング部における補助データＤＡＡが配される部分に、フレーム番号データ送出部５６からのフレーム番号データＤＦＲを挿入し、図１５に示される如くの、各ラインブランキング部にフレーム番号データＤＦＲが挿入されて成る改変ＨＤ信号ＤＯＤ’を形成する。
さらに、図１４に示される暗号化装置の例は、フレーム番号データ挿入部５５とフレーム番号データ送出部５６とに加えて、フレーム番号データ挿入部５５から送出される改変ＨＤ信号ＤＯＤ’が入力データとして供給される暗号化部４０と、乱数発生部４１と、鍵データＤＥＹを送出してそれを乱数発生部４１に供給する鍵データ送出部４２と、暗号化部４０にも供給される改変ＨＤ信号ＤＯＤ’が供給されるフレーム番号データ抽出部５７と、を備えて構成される。
フレーム番号データ抽出部５７は、それに供給される改変ＨＤ信号ＤＯＤ’から、それに含まれる各フレーム分毎に順次変化していくフレーム番号をあらわすフレーム番号データＤＦＲを抽出して、抽出されたフレーム番号データＤＦＲを乱数発生部４１に供給する。
乱数発生部４１は、図１２に示される乱数発生部４１と同様のものであって、レジスタ部４４，暗号形成部４５，ビット取出部４６及びビット数変換部４７を含んで構成され、ｊビット構成の擬似乱数データＤＺＡを暗号化部４０に供給する。但し、レジスタ部４４には、フレーム番号データ抽出部５７からのフレーム番号データＤＦＲが供給されて、それが初期値データとされる。それにより、フレーム番号データ抽出部５７は、フレーム番号データＤＦＲを、乱数発生部４１におけるレジスタ部４４に対する初期値データとして送出する、初期値データ送出部を形成していることになる。また、レジスタ部４４は、フレーム番号データ抽出部５７からのフレーム番号データＤＦＲが供給されるもとにあっても、暗号化部４０に供給される改変ＨＤ信号ＤＯＤ’における各ライン分毎に動作がリセットされるように設定される。鍵データ送出部４２も、図１２に示される鍵データ送出部４２と同様のものである。
なお、乱数発生部４１は、擬似乱数データＤＺＡに代えて、乱数データを発生するものとされる場合もあり、その際には、乱数発生部４１から送出される乱数データが暗号化部４０に供給される。
暗号化部４０にあっては、フレーム番号データ挿入部５５からの改変ＨＤ信号ＤＯＤ’に対して、乱数発生部４１からの擬似乱数データＤＺＡもしくは乱数データに応じた暗号化処理を施し、ｊビットワード列データを成す暗号化情報データである、改変ＨＤ信号ＤＯＤ’基づく暗号化ＨＤ信号ＤＸＤを送出する。斯かる改変ＨＤ信号ＤＯＤ’についての暗号化は、図１２に示される暗号化部４０によるＨＤ信号ＤＯＤについての暗号化と同様に行われる。
そして、暗号化部４０から送出される暗号化ＨＤ信号ＤＸＤは、乱数発生部４１におけるビット数変換部４７に供給され、ビット数変換部４７は、ｊビットワード列データを成す暗号化されたＤＨ信号ＤＸＤをｙビットワード列データに変換して帰還用データＤＦＤを形成し、それをレジスタ部４４に帰還する。
それにより、レジスタ部４４は、暗号化部４０に供給される改変ＨＤ信号ＤＯＤ’における各ライン分毎にその動作がリセットされるもとで、当該改変ＨＤ信号ＤＯＤ’における各フレーム分毎に、先ず、フレーム番号データ抽出部５７からのフレーム番号データＤＦＲに応じたレジスタ出力データＤＲＺを送出し、その後、ビット数変換部４７からの帰還用データＤＦＤに応じたレジスタ出力データＤＲＺを送出することになる。
図１６は、本願の請求の範囲における第２５項または第２６項に記載された発明に係る復号化装置の一例を示し、この復号化装置の例は、図１４に示される暗号化装置の例から得られる暗号化情報データである暗号化ＨＤ信号ＤＸＤに復号化処理を施して、元のディジタル情報データであるＨＤ信号ＤＯＤを再生するものとされる。
図１６に示される復号化装置の例は、図１４に示される暗号化装置の例によって形成された、ｊビットワード列データを成す暗号化情報データである、暗号化ＨＤ信号ＤＸＤが、入力データとして供給される復号化部５０と、乱数発生部５１と、鍵データＤＥＹを送出してそれを乱数発生部５１に供給する鍵データ送出部５２と、復号化部５０にも供給される暗号化ＨＤ信号ＤＸＤが供給されるフレーム番号データ抽出部５８と、復号化部５０の出力側に設けられたフレーム番号データ除去部５９と、を備えて構成される。
フレーム番号データ抽出部５８は、それに供給される暗号化ＨＤ信号ＤＸＤから、それに含まれる各フレーム分毎に順次変化していくフレーム番号をあらわすフレーム番号データＤＦＲを抽出して、抽出されたフレーム番号データＤＦＲを乱数発生部５１に供給する。
乱数発生部５１は、図１４に示される乱数発生部４１と同様のものであって、レジスタ部４４，暗号形成部４５，ビット取出部４６及びビット数変換部４７を含んで構成され、ｊビット構成の擬似乱数データＤＺＡを復号化部５０に供給する。但し、ビット数変換部４７には、復号化部５０にも供給される暗号化ＨＤ信号ＤＸＤが供給され、ビット数変換部４７の出力データ（ＤＦＤ）が外部入力データとしてレジスタ部４４に供給される。また、鍵データ送出部５２は、図１４に示される鍵データ送出部４２と同様のものである。
従って、図１６に示される復号化装置の例にあっても、乱数発生部５１において、レジスタ部４４に、フレーム番号データ抽出部５８からのフレーム番号データＤＦＲが供給されて、それが初期値データとされる。それにより、フレーム番号データ抽出部５８は、フレーム番号データＤＦＲを、乱数発生部５１におけるレジスタ部４４に対する初期値データとして送出する、初期値データ送出部を形成していることになる。また、レジスタ部４４は、フレーム番号データ抽出部５８からのフレーム番号データＤＦＲが供給されるもとにあっても、復号化部５０に供給される暗号化ＨＤ信号ＤＸＤにおける各ライン分毎に動作がリセットされるように設定される。そして、レジスタ部４４は、復号化部５０に供給される暗号化ＨＤ信号ＤＸＤにおけるライン分毎にその動作がリセットされるもとで、当該暗号化ＨＤ信号ＤＸＤにおける各フレーム分毎に、先ず、フレーム番号データ抽出部５８からのフレーム番号データＤＦＲに応じたレジスタ出力データＤＲＺを送出し、その後、ビット数変換部４７からの外部入力データＤＦＤに応じたレジスタ出力データＤＲＺを送出することになる。
なお、乱数発生部５１は、擬似乱数データＤＺＡに代えて、乱数データを発生するものとされる場合もあり、その際には、乱数発生部５１から送出される乱数データが復号化部５０に供給される。
斯かるもとで、復号化部５０にあっては、暗号化ＨＤ信号ＤＸＤに対して、乱数発生部５１からの擬似乱数データＤＺＡもしくは乱数データに応じた復号化処理を施し、暗号化ＨＤ信号ＤＸＤに基づく改変ＨＤ信号ＤＯＤ’を得て、それをフレーム番号データ除去部５９に供給する。斯かる暗号化ＨＤ信号についての復号化にあたっては、暗号化ＨＤ信号の、各ライン分における暗号化映像データについて復号化処理が施され、それによりＨＤ信号の各ライン分における映像データ部に配された映像データＤＶＶとそれに続くラインブランキング部の冒頭部分に配されたタイミング基準コードデータＥＡＶとが再生される。そして、それらが、暗号化されていない各ラインブランキング部に配された諸データのうちのタイミング基準コードデータＥＡＶ以外のもの、即ち、ライン番号データＤＬＮ，誤り符号データＣＲＣＣ，補助データＤＡＡ，フレーム番号データＤＦＲ及びタイミング基準コードデータＳＡＶと組み合わされる。その結果、各ラインブランキング部に配されたタイミング基準コードデータＥＡＶ以外の各データとそれに続く映像データとを含むものとされる改変ＨＤ信号ＤＯＤ’が得られる。
フレーム番号データ除去部５９にあっては、復号化部５０からの改変ＨＤ信号ＤＯＤ’から、それにおける各ラインブランキング部に挿入されたフレーム番号データＤＦＲが除去されて、ｊビットワード列データを成す元のディジタル情報データであるＨＤ信号ＤＯＤが再生される。
図１７は、本願の請求の範囲における第６項または第７項に記載された発明に係る暗号化装置の一例を示す。
図１７に示される暗号化装置の例は、前述の図１４に示される暗号化装置に、ライン番号データ抽出部６０とデータ加算部６１とが追加されたものに相当する。図１７においては、図１４に示される各部及び各データに対応する部分及びデータが図１４と共通の符号が付されて示されており、それらについての重複説明は省略される。
図１７に示される暗号化装置の例にあっては、暗号化部４０に供給される改変ＨＤ信号ＤＯＤ’が、ライン番号データ抽出部６０にも供給される。ライン番号データ抽出部６０は、それに供給される改変ＨＤ信号ＤＯＤ’から、それに含まれる各ライン分毎に順次変化していくライン番号をあらわすライン番号データＤＬＮを抽出して、抽出されたライン番号データＤＬＮを、データ加算部６１を通じて乱数発生部４１に供給する。
乱数発生部４１には、フレーム番号データ抽出部５７からのフレーム番号データＤＦＲも、データ加算部６１を通じて供給される。そして、乱数発生部４１にあっては、フレーム番号データ抽出部５７からのフレーム番号データＤＦＲ及びライン番号データ抽出部６０からのライン番号データＤＬＮの夫々が、レジスタ部４４に、それに対する初期値データとして供給される。これよりして、フレーム番号データ抽出部５７及びライン番号データ抽出部６０の夫々は、フレーム番号データＤＦＲもしくはライン番号データＤＬＮを、乱数発生部４１におけるレジスタ部４４に対する初期値データとして送出する、初期値データ送出部を形成していることになる。
そして、レジスタ部４４は、暗号化部４０に供給される改変ＨＤ信号ＤＯＤ’における各ライン分毎にその動作がリセットされるもとで、当該改変ＨＤ信号ＤＯＤ’における各フレーム分毎に、フレーム番号データ抽出部５８からのフレーム番号データＤＦＲに応じたレジスタ出力データＤＲＺを送出し、さらに、当該改変ＨＤ信号ＤＯＤ’における各ライン分毎に、先ず、ライン番号データ抽出部６０からのライン番号データＤＬＮに応じたレジスタ出力データＤＲＺを送出し、その後、ビット数変換部４７からの帰還用データＤＦＤに応じたレジスタ出力データＤＲＺを送出する動作を行う。
図１７に示される暗号化装置の例におけるその他の動作は、図１４に示される暗号化装置の例の場合と同様である。
図１８は、本願の請求の範囲における第２７項または第２８項に記載された発明に係る復号化装置の一例を示し、この復号化装置の例は、図１７に示される暗号化装置の例から得られる暗号化情報データである暗号化ＨＤ信号ＤＸＤに復号化処理を施して、元のディジタル情報データであるＨＤ信号ＤＯＤを再生するものとされる。
図１８に示される復号化装置の例は、前述の図１６に示される復号化装置に、ライン番号データ抽出部６２とデータ加算部６３とが追加されたものに相当する。図１８においては、図１６に示される各部及び各データに対応する部分及びデータが図１６と共通の符号が付されて示されており、それらについての重複説明は省略される。
図１８に示される復号化装置の例にあっては、復号化部５０に供給される暗号化ＨＤ信号ＤＸＤが、ライン番号データ抽出部６２にも供給される。ライン番号データ抽出部６２は、それに供給される暗号化ＨＤ信号ＤＸＤから、それに含まれる各ライン分毎に順次変化していくライン番号をあらわすライン番号データＤＬＮを抽出して、抽出されたライン番号データＤＬＮを、データ加算部６３を通じて乱数発生部５１に供給する。
乱数発生部５１には、フレーム番号データ抽出部５８からのフレーム番号データＤＦＲも、データ加算部６３を通じて供給される。そして、乱数発生部５１にあっては、フレーム番号データ抽出部５８からのフレーム番号データＤＦＲ及びライン番号データ抽出部６２からのライン番号データＤＬＮの夫々が、レジスタ部４４に、それに対する初期値データとして供給される。これよりして、フレーム番号データ抽出部５８及びライン番号データ抽出部６２の夫々は、フレーム番号データＤＦＲもしくはライン番号データＤＬＮを、乱数発生部５１におけるレジスタ部４４に対する初期値データとして送出する、初期値データ送出部を形成していることになる。
そして、レジスタ部４４は、復号化部５０に供給される暗号化ＨＤ信号ＤＸＤにおける各ライン分毎にその動作がリセットされるもとで、当該暗号化ＨＤ信号ＤＸＤにおける各フレーム分毎に、フレーム番号データ抽出部５８からのフレーム番号データＤＦＲに応じたレジスタ出力データＤＲＺを送出し、さらに、当該暗号化ＨＤ信号ＤＸＤにおける各ライン分毎に、先ず、ライン番号データ抽出部６２からのライン番号データＤＬＮに応じたレジスタ出力データＤＲＺを送出し、その後、ビット数変換部４７からの外部入力データＤＦＤに応じたレジスタ出力データＤＲＺを送出する動作を行う。
図１８に示される復号化装置の例におけるその他の動作は、図１６に示される復号化装置の例の場合と同様である。
上述の図１２，図１４及び図１７のいずれかに示される暗号化装置の例によれば、例えば、暗号化部４０において暗号化されるべきディジタル情報データがＨＤ信号とされたもとで、乱数発生部４１におけるレジスタ部４４に、それに対する初期値データとして、暗号化されるべきＨＤ信号におけるライン分もしくはフレーム分毎に変化するライン番号データもしくはフレーム番号データあるいはそれら両方を供給する初期値データ送出部を形成するライン番号データ抽出部４３または６０もしくはフレーム番号データ抽出部５７あるいはそれら両者が備えられることにより、擬似乱数データもしくは乱数データの形成に、暗号化されるべきＨＤ信号における各ライン分毎のリセットがかけられるもとにあっても、暗号化されるべきＨＤ信号における各ライン分もしくは各フレーム分について発生する擬似乱数データもしくは乱数データが同じとされてしまう事態が防止される。それゆえ、暗号化ＨＤ信号から元のＨＤ信号があらわす情報内容を推測することが困難とされて、暗号強度の改善が図られる。
また、上述の図１３，図１６及び図１８のいずれかに示される復号化装置の例によれば、例えば、図１２，図１４及び図１７のいずれかに示される暗号化装置の例によって、ＨＤ信号に暗号強度の改善が図られることになる暗号化処理が施されて得られた暗号化ＨＤ信号に対しての、元のＨＤ信号を再生するための擬似乱数データもしくは乱数データに応じた復号化処理が、復号化部５０において適正に行われることになる。
図１９は、本願の請求の範囲における第８項から第１０項までのいずれかに記載された発明に係る暗号化装置の一例を示す。
図１９に示される暗号化装置の例は、ｊビットワード列データを成すディジタル情報データである、図５に示される如くのＨＤ信号ＤＯＤが入力データとして供給される暗号化部７０と、暗号化部７０にも供給されるＨＤ信号ＤＯＤが供給され、そのＨＤ信号ＤＯＤからそれに含まれるライン番号データＤＬＮを抽出して送出するライン番号データ送出部７１と、ライン番号データ送出部７１により抽出されたライン番号データＤＬＮを保持するレジスタ部７２と、鍵データＤＥＹを送出する鍵データ送出部７３と、レジスタ部７２により保持されたライン番号データＤＬＮと鍵データ送出部７３から送出される鍵データＤＥＹとが供給される演算処理部７４と、を備えて構成される。
ライン番号データ送出部７１は、ＨＤ信号ＤＯＤとされたディジタル情報データにおけるデータ区分毎に変化する情報データを送出する情報データ送出部を形成しており、ＨＤ信号ＤＯＤから抽出したライン番号データＤＬＮを、ディジタル情報データにおけるデータ区分毎に変化する情報データとして送出する。
演算処理部７４は、鍵データＤＥＹとライン番号データＤＬＮとに演算処理を施して、ライン番号データＤＬＮに応じて、暗号化部７０に供給されるＨＤ信号ＤＯＤにおける各ライン分毎に変化するものとされる改変鍵データＤＸＹを形成し、それを暗号化部７０に供給する。暗号化部７０は、ＨＤ信号ＤＯＤに改変鍵データＤＸＹによって定められる規則に従った暗号化処理を施して、ｊビットワード列データを成す暗号化情報データである、ＨＤ信号ＤＯＤに基づく暗号化ＨＤ信号ＤＸＤを形成して、それを送出する。
斯かる暗号化部７０におけるＨＤ信号についての暗号化も、前述の図１２に示される暗号化部４０におけるＨＤ信号ＤＯＤについての暗号化と同様にして行われ、暗号化ＨＤ信号ＤＸＤが、各ラインブランキング部に配された、暗号化されていないライン番号データＤＬＮ，誤り符号データＣＲＣＣ，補助データＤＡＡ及びタイミング基準コードデータＳＡＶと、それに続く、映像データＤＶＶ及びタイミング基準コードデータＥＡＶが暗号化されて得られた暗号化映像データと、を含んで成るものとされる。
図２０は、本願の請求の範囲における第２９項から第３１項までのいずれかに記載された発明に係る復号化装置の一例を示し、この復号化装置の例は、図１９に示される暗号化装置の例から得られる暗号化ＨＤ信号ＤＸＤに復号化処理を施して、元のディジタル情報データであるＨＤ信号ＤＯＤを再生するものとされる。
図２０に示される復号化装置の例は、図１９に示される暗号化装置の例によって形成された、ｊビットワード列データを成す暗号化情報データである、暗号化ＨＤ信号ＤＸＤが入力データとして供給される復号化部８０と、復号化部８０にも供給される暗号化ＨＤ信号ＤＸＤが供給され、その暗号化ＨＤ信号ＤＸＤからそれに含まれるライン番号データＤＬＮを抽出して送出するライン番号データ送出部８１と、ライン番号データ送出部８１により抽出されたライン番号データＤＬＮを保持するレジスタ部８２と、鍵データＤＥＹを送出する鍵データ送出部７３と、レジスタ部８２により保持されたライン番号データＤＬＮと鍵データ送出部７３から送出される鍵データＤＥＹとが供給される演算処理部８３と、を備えて構成される。鍵データ送出部７３は、図１９に示される鍵データ送出部７３と同様のものである。
ライン番号データ送出部８１は、暗号化ＨＤ信号ＤＸＤとされた暗号化情報データにおけるデータ区分毎に変化する情報データを送出する情報データ送出部を形成しており、暗号化ＨＤ信号ＤＸＤから抽出したライン番号データＤＬＮを、暗号化情報データにおけるデータ区分毎に変化する情報データとして送出する。
演算処理部８３は、鍵データＤＥＹとライン番号データＤＬＮとに演算処理を施して、ライン番号データＤＬＮに応じて、復号化部８０に供給される暗号化ＨＤ信号ＤＸＤにおける各ライン分毎に変化するものとされる改変鍵データＤＸＹを形成し、それを復号化部８０に供給する。復号化部８０は、暗号化ＨＤ信号ＤＸＤに改変鍵データＤＸＹによって定められる規則に従った復号化処理を施して、ｊビットワード列データを成す元のディジタル情報データである、暗号化ＨＤ信号ＤＸＤに基づく元のＨＤ信号ＤＯＤを形成して、それを送出する。
斯かる復号化部８０における暗号化ＨＤ信号ＤＸＤについての復号化も、前述の図１３に示される復号化部５０における暗号化ＨＤ信号ＤＸＤについての復号化と同様にして行われ、元のＨＤ信号ＤＯＤが、各ラインブランキング部に、タイミング基準コードデータＥＡＶ，ライン番号データＤＬＮ，誤り符号データＣＲＣＣ，補助データＤＡＡ及びタイミング基準コードデータＳＡＶが配され、それに、映像データＤＶＶが配された映像データ部が連なって成るものとされる。
図２１は、本願の請求の範囲における第１１項から第１３項までのいずれかに記載された発明に係る暗号化装置の一例を示す。
図２１に示される暗号化装置の例は、暗号化部７０と、鍵データＤＥＹを送出して、それを暗号化部７０に供給する鍵データ送出部７３と、ｊビットワード列データを成すディジタル情報データである、図５に示される如くのＨＤ信号ＤＯＤが供給される演算処理部７５と、演算処理部７５にも供給されるＨＤ信号ＤＯＤが供給され、そのＨＤ信号ＤＯＤからそれに含まれるライン番号データＤＬＮを抽出して送出するライン番号データ送出部７１と、ライン番号データ送出部７１により抽出されたライン番号データＤＬＮを保持するレジスタ部７２と、を備えて構成される。
ライン番号データ送出部７１，レジスタ部７２及び鍵データ送出部７３は、図１９に示されるライン番号データ送出部７１，レジスタ部７２及び鍵データ送出部７３と同様のものであり、ライン番号データ送出部７１は、ＨＤ信号ＤＯＤとされたディジタル情報データにおけるデータ区分毎に変化する情報データを送出する情報データ送出部を形成しており、ＨＤ信号ＤＯＤから抽出したライン番号データＤＬＮを、ディジタル情報データにおけるデータ区分毎に変化する情報データとして送出する。
レジスタ部７２により保持されたライン番号データＤＬＮは、演算処理部７５に供給される。演算処理部７５は、ＨＤ信号ＤＯＤとレジスタ部７２により保持されたライン番号データＤＬＮとに演算処理を施して、ライン番号データＤＬＮに応じて、ＨＤ信号ＤＯＤにおける各ライン分毎に変化するものとされる改変ＨＤ信号ＤＯＤＰを形成し、それを暗号化部７０に供給する。
暗号化部７０は、演算処理部７５からの改変ＨＤ信号ＤＯＤＰに、鍵データＤＥＹによって定められる規則に従った暗号化処理を施して、ｊビットワード列データを成す暗号化情報データである、改変ＨＤ信号ＤＯＤＰに基づく暗号化ＨＤ信号ＤＸＤを形成して、それを送出する。斯かる暗号化部７０における改変ＨＤ信号ＤＯＤＰについての暗号化も、前述の図１９に示される暗号化部７０におけるＨＤ信号ＤＯＤについての暗号化と同様にして行われる。
図２２は、本願の請求の範囲における第３２項から第３４項までのいずれかに記載された発明に係る復号化装置の一例を示し、この復号化装置の例は、図２１に示される暗号化装置の例から得られる暗号化ＨＤ信号ＤＸＤに復号化処理を施して、元のディジタル情報データであるＨＤ信号ＤＯＤを再生するものとされる。
図２２に示される復号化装置の例は、復号化部８０と、鍵データＤＥＹを送出して、それを復号化部８０に供給する鍵データ送出部７３と、ｊビットワード列データを成すディジタル情報データである、図２１に示される暗号化装置の例により形成された暗号化ＨＤ信号ＤＸＤが供給される演算処理部８３と、演算処理部８３にも供給される暗号化ＨＤ信号ＤＸＤが供給され、その暗号化ＨＤ信号ＤＸＤからそれに含まれるライン番号データＤＬＮを抽出して送出するライン番号データ送出部８１と、ライン番号データ送出部８１により抽出されたライン番号データＤＬＮを保持するレジスタ部８２と、を備えて構成される。
ライン番号データ送出部８１，レジスタ部８２及び鍵データ送出部７３は、図２０に示されるライン番号データ送出部８１，レジスタ部８２及び鍵データ送出部７３と同様のものであり、ライン番号データ送出部８１は、暗号化ＨＤ信号ＤＸＤとされたディジタル情報データにおけるデータ区分毎に変化する情報データを送出する情報データ送出部を形成しており、暗号化ＨＤ信号ＤＸＤから抽出したライン番号データＤＬＮを、ディジタル情報データにおけるデータ区分毎に変化する情報データとして送出する。
レジスタ部８２により保持されたライン番号データＤＬＮは、演算処理部８３に供給される。演算処理部８３は、暗号化ＨＤ信号ＤＸＤとレジスタ部７２により保持されたライン番号データＤＬＮとに演算処理を施して、ライン番号データＤＬＮに応じて、暗号化ＨＤ信号ＤＸＤにおける各ライン分毎に変化するものとされる改変暗号化ＨＤ信号ＤＸＤＰを形成し、それを復号化部８０に供給する。
復号化部８０は、演算処理部８３からの改変暗号化ＨＤ信号ＤＸＤＰに、鍵データＤＥＹによって定められる規則に従った復号化処理を施して、ｊビットワード列データを成す元のディジタル情報データである、改変暗号化ＨＤ信号ＤＸＤに基づく元のＨＤ信号ＤＯＤを形成して、それを送出する。斯かる復号化部８０における改変暗号化ＨＤ信号ＤＸＤＰについての復号化も、前述の図２０に示される復号化部８０における暗号化ＨＤ信号ＤＸＤについての復号化と同様にして行われる。
図２３は、本願の請求の範囲における第１４項または第１５項に記載された発明に係る暗号化装置の一例を示す。
図２３に示される暗号化装置の例にあっては、ｊビットワード列データを成すディジタル情報データである、図５に示される如くのＨＤ信号ＤＯＤが供給されるフレーム番号データ挿入部５５と、ＨＤ信号ＤＯＤにおける各フレーム分毎に順次変化していくフレーム番号をあらわすフレーム番号データＤＦＲをフレーム番号データ挿入部５５に供給するフレーム番号データ送出部５６とが設けられている。これらのフレーム番号データ挿入部５５及びフレーム番号データ送出部５６は、図１４及び図１７に示されるフレーム番号データ挿入部５５及びフレーム番号データ送出部５６と同様のものであり、フレーム番号データ挿入部５５は、ＨＤ信号ＤＯＤにおける各ラインブランキング部における補助データＤＡＡが配される部分に、フレーム番号データ送出部５６からのフレーム番号データＤＦＲを挿入し、図１５に示される如くの、各ラインブランキング部にフレーム番号データＤＦＲが挿入されて成る改変ＨＤ信号ＤＯＤ’を形成する。
さらに、図２３に示される暗号化装置の例は、フレーム番号データ挿入部５５とフレーム番号データ送出部５６とに加えて、フレーム番号データ挿入部５５から送出される改変ＨＤ信号ＤＯＤ’が入力データとして供給される暗号化部７０と、暗号化部７０にも供給される改変ＨＤ信号ＤＯＤ’が供給され、その改変ＨＤ信号ＤＯＤ’からそれに含まれるフレーム番号データＤＦＲを抽出して送出するフレーム番号データ送出部８５と、フレーム番号データ送出部８５により抽出されたフレーム番号データＤＦＲを保持するレジスタ部８６と、鍵データＤＥＹを送出する鍵データ送出部７３と、レジスタ部８６により保持されたフレーム番号データＤＦＲと鍵データ送出部７３から送出される鍵データＤＥＹとが供給される演算処理部７４と、を備えて構成される。
フレーム番号データ送出部８５は、改変ＨＤ信号ＤＯＤ’とされたディジタル情報データにおけるデータ区分毎に変化する情報データを送出する情報データ送出部を形成しており、改変ＨＤ信号ＤＯＤ’から抽出したフレーム番号データＤＦＲを、ディジタル情報データにおけるデータ区分毎に変化する情報データとして送出する。
鍵データ送出部７３及び演算処理部７４は、図１９に示される鍵データ送出部７３及び演算処理部７４と同様のものであり、演算処理部７４は、鍵データＤＥＹとフレーム番号データＤＦＲとに演算処理を施して、フレーム番号データＤＦＲに応じて、暗号化部７０に供給される改変ＨＤ信号ＤＯＤ’における各フレーム分毎に変化するものとされる改変鍵データＤＸＹを形成し、それを暗号化部７０に供給する。暗号化部７０は、改変ＨＤ信号ＤＯＤ’に改変鍵データＤＸＹによって定められる規則に従った暗号化処理を施して、ｊビットワード列データを成す暗号化情報データである、改変ＨＤ信号ＤＯＤ’に基づく暗号化ＨＤ信号ＤＸＤを形成して、それを送出する。
斯かる暗号化部７０における改変ＨＤ信号ＤＯＤ’についての暗号化も、前述の図１４に示される暗号化部４０における改変ＨＤ信号ＤＯＤ’についての暗号化と同様にして行われる。
図２４は、本願の請求の範囲における第３５項または第３６項に記載された発明に係る復号化装置の一例を示し、この復号化装置の例は、図２３に示される暗号化装置の例から得られる暗号化ＨＤ信号ＤＸＤに復号化処理を施して、元のディジタル情報データであるＨＤ信号ＤＯＤを再生するものとされる。
図２４に示される復号化装置の例は、図２３に示される暗号化装置の例によって形成された、ｊビットワード列データを成す暗号化情報データである、暗号化ＨＤ信号ＤＸＤが入力データとして供給される復号化部８０と、復号化部８０にも供給される暗号化ＨＤ信号ＤＸＤが供給され、その暗号化ＨＤ信号ＤＸＤからそれに含まれるフレーム番号データＤＦＲを抽出して送出するフレーム番号データ送出部８７と、フレーム番号データ送出部８７により抽出されたフレーム番号データＤＦＲを保持するレジスタ部８８と、鍵データＤＥＹを送出する鍵データ送出部７３と、レジスタ部８８により保持されたフレーム番号データＤＦＲと鍵データ送出部７３から送出される鍵データＤＥＹとが供給される演算処理部８９と、復号化部８０の出力側に設けられたフレーム番号データ除去部９０と、を備えて構成される。鍵データ送出部７３は、図２３に示される鍵データ送出部７３と同様のものである。
フレーム番号データ送出部８７は、暗号化ＨＤ信号ＤＸＤとされた暗号化情報データにおけるデータ区分毎に変化する情報データを送出する情報データ送出部を形成しており、暗号化ＨＤ信号ＤＸＤから抽出したフレーム番号データＤＦＲを、暗号化情報データにおけるデータ区分毎に変化する情報データとして送出する。
演算処理部８９は、鍵データＤＥＹとフレーム番号データＤＦＲとに演算処理を施して、フレーム番号データＤＦＲに応じて、復号化部８０に供給される暗号化ＨＤ信号ＤＸＤにおける各フレーム分毎に変化するものとされる改変鍵データＤＸＹを形成し、それを復号化部８０に供給する。復号化部８０は、暗号化ＨＤ信号ＤＸＤに改変鍵データＤＸＹによって定められる規則に従った復号化処理を施して、ｊビットワード列データを成す元のディジタル情報データである、暗号化ＨＤ信号ＤＸＤに基づく変換ＨＤ信号ＤＯＤ’を形成して、それをフレーム番号データ除去部９０に供給する。
斯かる復号化部８０における暗号化ＨＤ信号ＤＸＤについての復号化も、前述の図２０に示される復号化部８０における暗号化ＨＤ信号ＤＸＤについての復号化と同様にして行われる。
フレーム番号データ除去部９０にあっては、復号化部８０からの改変ＨＤ信号ＤＯＤ’から、それにおける各ラインブランキング部に挿入されたフレーム番号データＤＦＲが除去されて、ｊビットワード列データを成す元のディジタル情報データであるＨＤ信号が再生される。
図２５は、本願の請求の範囲における第１６項または第１７項に記載された発明に係る暗号化装置の一例を示す。
図２５に示される暗号化装置の例にあっては、ｊビットワード列データを成すディジタル情報データである、図５に示される如くのＨＤ信号ＤＯＤが供給されるフレーム番号データ挿入部５５と、ＨＤ信号ＤＯＤにおける各フレーム分毎に順次変化していくフレーム番号をあらわすフレーム番号データＤＦＲをフレーム番号データ挿入部５５に供給するフレーム番号データ送出部５６とが設けられている。これらのフレーム番号データ挿入部５５及びフレーム番号データ送出部５６は、図１４，図１７及び図２３に示されるフレーム番号データ挿入部５５及びフレーム番号データ送出部５６と同様のものであり、フレーム番号データ挿入部５５は、ＨＤ信号ＤＯＤにおける各ラインブランキング部における補助データＤＡＡが配される部分に、フレーム番号データ送出部５６からのフレーム番号データＤＦＲを挿入し、図１５に示される如くの、各ラインブランキング部にフレーム番号データＤＦＲが挿入されて成る改変ＨＤ信号ＤＯＤ’を形成する。
さらに、図２５に示される暗号化装置の例は、フレーム番号データ挿入部５５とフレーム番号データ送出部５６とに加えて、暗号化部７０と、鍵データＤＥＹを送出して、それを暗号化部７０に供給する鍵データ送出部７３と、フレーム番号データ挿入部５５から送出される改変ＨＤ信号ＤＯＤ’が供給される演算処理部９１と、演算処理部９１にも供給される改変ＨＤ信号ＤＯＤ’が供給され、その改変ＨＤ信号ＤＯＤ’からそれに含まれるフレーム番号データＤＦＲを抽出して送出するフレーム番号データ送出部８５と、フレーム番号データ送出部８５により抽出されたフレーム番号データＤＦＲを保持するレジスタ部８６と、を備えて構成される。
フレーム番号データ送出部８５，レジスタ部８６及び鍵データ送出部７３は、図２３に示されるフレーム番号データ送出部８５，レジスタ部８６及び鍵データ送出部７３と同様のものであり、フレーム番号データ送出部８５は、改変ＨＤ信号ＤＯＤ’とされたディジタル情報データにおけるデータ区分毎に変化する情報データを送出する情報データ送出部を形成しており、改変ＨＤ信号ＤＯＤ’から抽出したフレーム番号データＤＦＲを、ディジタル情報データにおけるデータ区分毎に変化する情報データとして送出する。
レジスタ部８６により保持されたフレーム番号データＤＦＲは、演算処理部９１に供給される。演算処理部９１は、改変ＨＤ信号ＤＯＤ’とレジスタ部８６により保持されたフレーム番号データＤＦＲとに演算処理を施して、フレーム番号データＤＦＲに応じて、改変ＨＤ信号ＤＯＤ’における各ライン分毎に変化するものとされる改変ＨＤ信号ＤＯＤＰ’を形成し、それを暗号化部７０に供給する。
暗号化部７０は、演算処理部９１からの改変ＨＤ信号ＤＯＤＰ’に、鍵データＤＥＹによって定められる規則に従った暗号化処理を施して、ｊビットワード列データを成す暗号化情報データである、改変ＨＤ信号ＤＯＤＰ’に基づく暗号化ＨＤ信号ＤＸＤを形成して、それを送出する。斯かる暗号化部７０における改変ＨＤ信号ＤＯＤＰ’についての暗号化も、前述の図２３に示される暗号化部７０における改変ＨＤ信号ＤＯＤ’についての暗号化と同様にして行われる。
図２６は、本願の請求の範囲における第３７項または第３８項に記載された発明に係る復号化装置の一例を示し、この復号化装置の例は、図２５に示される暗号化装置の例から得られる暗号化ＨＤ信号ＤＸＤに復号化処理を施して、元のディジタル情報データであるＨＤ信号ＤＯＤを再生するものとされる。
図２６に示される復号化装置の例は、復号化部８０と、鍵データＤＥＹを送出して、それを復号化部８０に供給する鍵データ送出部７３と、ｊビットワード列データを成すディジタル情報データである、図２５に示される暗号化装置の例により形成された暗号化ＨＤ信号ＤＸＤが供給される演算処理部９２と、演算処理部９２にも供給される暗号化ＨＤ信号ＤＸＤが供給され、その暗号化ＨＤ信号ＤＸＤからそれに含まれるフレーム番号データＤＦＲを抽出して送出するフレーム番号データ送出部８７と、フレーム番号データ送出部８７により抽出されたフレーム番号データＤＦＲを保持するレジスタ部８８と、復号化部８０の出力側に設けられたフレーム番号データ除去部９０と、を備えて構成される。
フレーム番号データ送出部８７，レジスタ部８８，鍵データ送出部７３及びフレーム番号データ除去部９０は、図２４に示されるフレーム番号データ送出部８７，レジスタ部８８，鍵データ送出部７３及びフレーム番号データ除去部９０と同様のものであり、フレーム番号データ送出部８７は、暗号化ＨＤ信号ＤＸＤとされたディジタル情報データにおけるデータ区分毎に変化する情報データを送出する情報データ送出部を形成しており、暗号化ＨＤ信号ＤＸＤから抽出したフレーム番号データＤＦＲを、ディジタル情報データにおけるデータ区分毎に変化する情報データとして送出する。
レジスタ部８８により保持されたフレーム番号データＤＦＲは、演算処理部９２に供給される。演算処理部９２は、暗号化ＨＤ信号ＤＸＤとレジスタ部８８により保持されたフレーム番号データＤＦＲとに演算処理を施して、フレーム番号データＤＦＲに応じて、暗号化ＨＤ信号ＤＸＤにおける各ライン分毎に変化するものとされる改変暗号化ＨＤ信号ＤＸＤＰ’を形成し、それを復号化部８０に供給する。
復号化部８０は、演算処理部９２からの改変暗号化ＨＤ信号ＤＸＤＰ’に、鍵データＤＥＹによって定められる規則に従った復号化処理を施して、ｊビットワード列データを成すディジタル情報データである、改変暗号化ＨＤ信号ＤＸＤＰ’に基づく改変ＨＤ信号ＤＯＤ’を形成して、それをフレーム番号データ除去部９０に供給する。斯かる復号化部８０における改変暗号化ＨＤ信号ＤＸＤＰ’についての復号化も、前述の図２２に示される復号化部８０における改変暗号化ＨＤ信号ＤＸＤＰについての復号化と同様にして行われる。
フレーム番号データ除去部９０にあっては、復号化部８０からの改変ＨＤ信号ＤＯＤ’から、それにおける各ラインブランキング部に挿入されたフレーム番号データＤＦＲが除去されて、ｊビットワード列データを成す元のディジタル情報データであるＨＤ信号ＤＯＤが再生される。
図２７は、本願の請求の範囲における第１８項または第１９項に記載された発明に係る暗号化装置の一例を示す。
図２７に示される暗号化装置の例は、前述の図２３に示される暗号化装置に、ライン番号データ送出部９５とレジスタ部９６とデータ加算部９７とが追加されたものに相当する。図２７においては、図２３に示される各部及び各データに対応する部分及びデータが図２３と共通の符号が付されて示されており、それらについての重複説明は省略される。
図２７に示される暗号化装置の例にあっては、暗号化部７０に供給される改変ＨＤ信号ＤＯＤ’が、ライン番号データ送出部９５にも供給される。ライン番号データ送出部９５は、それに供給される改変ＨＤ信号ＤＯＤ’から、それに含まれる各ライン分毎に順次変化していくライン番号をあらわすライン番号データＤＬＮを抽出して、抽出されたライン番号データＤＬＮを、レジスタ部９６に供給する。
レジスタ部９６は、ライン番号データ送出部９５からのライン番号データＤＬＮを保持し、保持したライン番号データＤＬＮをデータ加算部９７を通じて演算処理部７４に供給する。
演算処理部７４には、レジスタ部８６によって保持されたフレーム番号データＤＦＲも、データ加算部９７を通じて供給される。そして、演算処理部７４にあっては、レジスタ部９６からのライン番号データＤＬＮとレジスタ部８６からのフレーム番号データＤＦＲと鍵データ送出部７３からの鍵データＤＥＹとについての演算処理が行われ、改変ＨＤ信号ＤＯＤ’における各ライン分毎に、さらには、各フレーム分毎に変化するものとされる改変鍵データＤＸＹが形成されて、それが暗号化部７０に供給される。
それにより、暗号化部７０は、図２３に示される暗号化部７０による改変ＨＤ信号ＤＯＤ’に対する暗号化の場合と同様にして、フレーム番号データ挿入部５５から送出される改変ＨＤ信号ＤＯＤ’に、改変鍵データＤＸＹにより定められる規則に従った暗号化処理を施して、改変ＨＤ信号ＤＯＤ’に基づく暗号化ＨＤ信号ＤＸＤを形成する。
図２７に示される暗号化装置の例におけるその他の動作は、図２３に示される暗号化装置の例の場合と同様である。
図２８は、本願の請求の範囲における第３９項または第４０項に記載された発明に係る復号化装置の一例を示し、この復号化装置の例は、図２７に示される暗号化装置の例から得られる暗号化情報データである暗号化ＨＤ信号ＤＸＤに復号化処理を施して、元のディジタル情報データであるＨＤ信号ＤＯＤを再生するものとされる。
図２８に示される復号化装置の例は、前述の図２４に示される復号化装置に、ライン番号データ送出部９８とレジスタ９９とデータ加算部１００とが追加されたものに相当する。図２８においては、図２４に示される各部及び各データに対応する部分及びデータが図２４と共通の符号が付されて示されており、それらについての重複説明は省略される。
図２８に示される復号化装置の例にあっては、復号化部８０に供給される暗号化ＨＤ信号ＤＸＤが、ライン番号データ送出部９８にも供給される。ライン番号データ送出部９８は、それに供給される暗号化ＨＤ信号ＤＸＤから、それに含まれる各ライン分毎に順次変化していくライン番号をあらわすライン番号データＤＬＮを抽出して、抽出されたライン番号データＤＬＮを、レジスタ部９９に供給する。
レジスタ部９９は、ライン番号データ送出部９８からのライン番号データＤＬＮを保持し、保持したライン番号データＤＬＮをデータ加算部１００を通じて演算処理部８９に供給する。
演算処理部８９には、レジスタ部８８によって保持されたフレーム番号データＤＦＲも、データ加算部１００を通じて供給される。そして、演算処理部８９にあっては、レジスタ部９９からのライン番号データＤＬＮとレジスタ部８８からのフレーム番号データＤＦＲと鍵データ送出部７３からの鍵データＤＥＹとについての演算処理が行われ、暗号化ＨＤ信号ＤＸＤにおける各ライン分毎に、さらには、各フレーム分毎に変化するものとされる改変鍵データＤＸＹが形成されて、それが復号化部８０に供給される。
それにより、復号化部８０は、図２４に示される復号化部８０による暗号化ＨＤ信号ＤＸＤに対する復号化の場合と同様にして、暗号化ＨＤ信号ＤＸＤに、改変鍵データＤＸＹにより定められる規則に従った復号化処理を施して、暗号化ＨＤ信号ＤＸＤに基づく改変ＨＤ信号ＤＯＤ’を得、それをフレーム番号データ除去部９０に供給する。
図２８に示される復号化装置の例におけるその他の動作は、図２４に示される復号化装置の例の場合と同様である。
図２９は、本願の請求の範囲における第２０項または第２１項に記載された発明に係る暗号化装置の一例を示す。
図２９に示される暗号化装置の例は、前述の図２５に示される暗号化装置に、ライン番号データ送出部９５とレジスタ部９６とデータ加算部９７とが追加されたものに相当する。図２９においては、図２５に示される各部及び各データに対応する部分及びデータが図２５と共通の符号が付されて示されており、それらについての重複説明は省略される。
図２９に示される暗号化装置の例にあっては、演算処理部９１に供給される改変ＨＤ信号ＤＯＤ’が、ライン番号データ送出部９５にも供給される。ライン番号データ送出部９５は、それに供給される改変ＨＤ信号ＤＯＤ’から、それに含まれる各ライン分毎に順次変化していくライン番号をあらわすライン番号データＤＬＮを抽出して、抽出されたライン番号データＤＬＮを、レジスタ部９６に供給する。
レジスタ部９６は、ライン番号データ送出部９５からのライン番号データＤＬＮを保持し、保持したライン番号データＤＬＮをデータ加算部９７を通じて演算処理部９１に供給する。
演算処理部９１には、レジスタ部８６によって保持されたフレーム番号データＤＦＲも、データ加算部９７を通じて供給される。そして、演算処理部９１にあっては、フレーム番号データ挿入部５５からの改変ＨＤ信号ＤＯＤ’とレジスタ部９６からのライン番号データＤＬＮとレジスタ部８６からのフレーム番号データＤＦＲとについての演算処理が行われ、改変ＨＤ信号ＤＯＤ’における各ライン分毎に、さらには、各フレーム分毎に変化するものとされる改変ＨＤ信号ＤＯＤＰ’が形成されて、それが暗号化部７０に供給される。
図２９に示される暗号化装置の例におけるその他の動作は、図２５に示される暗号化装置の例の場合と同様である。
図３０は、本願の請求の範囲における第４１項または第４２項に記載された発明に係る復号化装置の一例を示し、この復号化装置の例は、図２９に示される暗号化装置の例から得られる暗号化情報データである暗号化ＨＤ信号ＤＸＤに復号化処理を施して、元のディジタル情報データであるＨＤ信号ＤＯＤを再生するものとされる。
図３０に示される復号化装置の例は、前述の図２６に示される復号化装置に、ライン番号データ送出部９８とレジスタ部９９とデータ加算部１００とが追加されたものに相当する。図１９においては、図２６に示される各部及び各データに対応する部分及びデータが図２６と共通の符号が付されて示されており、それらについての重複説明は省略される。
図３０に示される復号化装置の例にあっては、演算処理部９２に供給される暗号化ＨＤ信号ＤＸＤが、ライン番号データ送出部９８にも供給される。ライン番号データ送出部９８は、それに供給される暗号化ＨＤ信号ＤＸＤから、それに含まれる各ライン分毎に順次変化していくライン番号をあらわすライン番号データＤＬＮを抽出して、抽出されたライン番号データＤＬＮを、レジスタ部９９に供給する。
レジスタ部９９は、ライン番号データ送出部９８からのライン番号データＤＬＮを保持し、保持したライン番号データＤＬＮをデータ加算部１００を通じて演算処理部９２に供給する。
演算処理部９２には、レジスタ部８８によって保持されたフレーム番号データＤＰＲも、データ加算部１００を通じて供給される。そして、演算処理部９２にあっては、暗号化ＨＤ信号ＤＸＤとレジスタ部９９からのライン番号データＤＬＮとレジスタ部８８からのフレーム番号データＤＦＲとについての演算処理が行われ、暗号化ＨＤ信号ＤＸＤにおける各ライン分毎に、さらには、各フレーム分毎に変化するものとされる改変暗号化ＨＤ信号ＤＸＤＰ’が形成されて、それが復号化部８０に供給される。
図３０に示される復号化装置の例におけるその他の動作は、図２６に示される復号化装置の例の場合と同様である。
上述の図１９，図２３及び図２７のいずれかに示される暗号化装置の例によれば、例えば、暗号化部７０において暗号化されるべきディジタル情報データがＨＤ信号とされたもとで、暗号化されるべきＨＤ信号に基づく暗号化ＨＤ信号を得るための暗号化に用いられる鍵データが、暗号化されるべきＨＤ信号における各ライン分毎もしくは各フレーム分毎に、あるいは、それらの両方をもって、変化するものに改変されることになる。その結果、暗号化ＨＤ信号から元のＨＤ信号があらわす映像内容を推測することが困難とされて、暗号強度の改善が図られることになる。
また、上述の図２０，図２４及び図２８のいずれかに示される復号化装置の例によれば、例えば、図１９，図２３及び図２７のいずれかに示される暗号化装置の例によって、ＨＤ信号に暗号強度の改善が図られることになる暗号化処理が施されて得られた暗号化ＨＤ信号に対しての、元のＨＤ信号を再生するための復号化処理が、復号化部８０において適正に行われることになる。
さらに、上述の図２１，図２５及び図２９のいずれかに示される暗号化装置の例によれば、例えば、暗号化部７０において暗号化されるべきディジタル情報データがＨＤ信号とされるもとで、暗号化されるべきＨＤ信号が、それにおける各ライン分毎もしくは各フレーム分毎にあるいはそれらの両方をもって、変化するものに改変されて、暗号化部において鍵データに応じて暗号化されることになる。その結果、暗号化ＨＤ信号から元のＨＤ信号があらわす映像内容を推測することが困難とされて、暗号強度の改善が図られることになる。
また、上述の図２２，図２６及び図３０のいずれかに示される復号化装置の例によれば、例えば、図２１，図２５及び図２９のいずれかに示される暗号化装置の例によって、ＨＤ信号に暗号強度の改善が図られることになる暗号化処理が施されて得られた暗号化ＨＤ信号に対しての、元のＨＤ信号を再生するための復号化処理が、復号化部８０において適正に行われることになる。
図３１は、上述の図１２，図１４及び図１７の各々における乱数発生部４１及び上述の図１３，図１６及び図１８の各々における乱数発生部５１の夫々に代えて用いることができる乱数発生部１０１を示す。即ち、上述の図１２，図１４及び図の各々に示される暗号化装置の例及び上述の図１３，図１６及び図１８の各々に示される復号化装置の例の夫々は、乱数発生部４１もしくは５１に代えて、乱数発生部１０１が用いられたものとされ得るのである。
図３１に示される乱数発生部１０１は、図１２，図１４及び図１７の各々における乱数発生部４１及び図１３，図１６及び図１８の各々における乱数発生部５１の夫々が備えるものと同様な、暗号形成部４５，暗号形成部４５に入力データを供給するデータ供給部を形成するレジスタ部４４及びビット取出部４６を備えるが、図１２，図１４及び図１７の各々における乱数発生部４１及び上述の図１３，図１６及び図１８の各々における乱数発生部５１の夫々が備えるビット数変換部４７は備えていない。そして、暗号形成部４５から得られる暗号データＤＥＺが、ビット取出部４６に供給されるとともに、レジスタ部４４に対する帰還用データとされ、レジスタ部４４に帰還される。
それゆえ、レジスタ部４４は、ライン番号データ抽出部４３，５３，６０または６２，もしくは、フレーム番号データ抽出部５７または５８、あるいは、それら両者から、初期値として供給されるライン番号データＤＬＮもしくはフレーム番号データＤＦＲあるいはそれら両者に応じたレジスタ出力データＤＲＺを送出するとともに、暗号形成部４５からの帰還用データとされた暗号データＤＥＺに応じたレジスタ出力データＤＲＺを送出することになる。
産業上の利用可能性
以上の説明から明らかな如く、本願の請求の範囲における第１項から第７項までのいずれかに記載された発明に係る暗号化装置によれば、例えば、暗号化されるべきディジタル情報データがＨＤ信号とされるもとで、暗号形成部に入力データを供給するデータ供給部に、それに対する初期値データとして、暗号化されるべきＨＤ信号におけるライン分もしくはフレーム分毎に変化するライン番号データもしくはフレーム番号データ、あるいは、それら両方を供給する初期値データ送出部が備えられることにより、擬似乱数データもしくは乱数データの形成に、暗号化されるべきＨＤ信号における各ライン分毎のリセットがかけられるもとにあっても、暗号化されるべきＨＤ信号における各ライン分もしくは各フレーム分について発生する擬似乱数データもしくは乱数データが同じとされてしまう事態が防止されることになる。その結果、暗号化情報データから元のディジタル情報データがあらわす情報内容を推測すること、例えば、暗号化ＨＤ信号から元のＨＤ信号があらわす映像内容を推測すること、が困難とされて、暗号強度の改善が図られる。
本願の請求の範囲における第８項から第１０項まで，第１４項，第１５項，第１８項及び第１９項のいずれかに記載された発明に係る暗号化装置によれば、例えば、暗号化されるべきディジタル情報データがＨＤ信号とされるもとで、暗号化されるＨＤ信号におけるライン分もしくはフレーム分毎に変化するライン番号データもしくはフレーム番号データ、あるいは、それら両方を送出する情報データ送出部と、鍵データ送出部から送出される鍵データと情報データ送出部から送出されるライン番号データもしくはフレーム番号データあるいはそれら両方とについての演算を行って改変鍵データを形成し、それを、暗号化されるべきＨＤ信号に基づく暗号化ＨＤ信号を形成する暗号化部に供給する演算処理部と、が備えられることにより、暗号化されるべきＨＤ信号に基づく暗号化ＨＤ信号を得るための暗号化に用いられる鍵データが、暗号化されるべきＨＤ信号における各ライン分毎もしくは各フレーム分毎に、あるいは、それら両方をもって、変化するものに改変されることになる。その結果、暗号化情報データから元のディジタル情報データがあらわす情報内容を推測すること、例えば、暗号化ＨＤ信号から元のＨＤ信号があらわす映像内容を推測すること、が困難とされて、暗号強度の改善が図られることになる。
本願の請求の範囲における第１１項から第１３項まで，第１６項，第１７項，第２０項及び第２１件のいずれかに記載された発明に係る暗号化装置によれば、例えば、暗号化されるべきディジタル情報データがＨＤ信号とされるもとにおいて、暗号化されるべきＨＤ信号におけるライン分もしくはフレーム分毎に変化するライン番号データもしくはフレーム番号データ、あるいは、それら両方を送出する情報データ送出部と、当該暗号化されるべきＨＤ信号と情報データ送出部から送出されるライン番号データもしくはフレーム番号データあるいはそれら両方とについての演算を行って改変ＨＤ信号を形成し、それを鍵データが供給される暗号化部に供給する演算処理部が備えられることにより、暗号化されるＨＤ信号が、それにおける各ライン分毎もしくは各フレーム分毎にあるいはそれら両方をもって、変化するものに改変されて、暗号化部において鍵データに応じて暗号化されることになる。その結果、暗号化情報データから元のディジタル情報データがあらわす情報内容を推測すること、例えば、暗号化ＨＤ信号から元のＨＤ信号があらわす映像内容を推測すること、が困難とされて、暗号強度の改善が図られることになる。
また、本願の請求の範囲における第２２項から第２８項までのいずれかに記載された発明に係る復号化装置によれば、例えば、暗号化情報データが暗号化ＨＤ信号とされるもとで、暗号形成部に入力データを供給するレジスタ部に、それに対する初期値データとして、暗号化ＨＤ信号におけるライン分もしくはフレーム分毎に変化するライン番号データもしくはフレーム番号データあるいはそれら両方を供給する初期値データ送出部が備えられることにより、ＨＤ信号に暗号強度の改善が図られることになる暗号化処理が施されて得られた暗号化ＨＤ信号に対しての、元のＨＤ信号を再生するための擬似乱数データもしくは乱数データに応じた復号化処理が、適正に行われることになる。
本願の請求の範囲における請求項２９から請求項３１まで，請求項３５，請求項３６，請求項３９及び請求項４０のいずれかに記載された発明に係る復号化装置によれば、例えば、暗号化されるべきディジタル情報データがＨＤ信号とされるもとで、暗号化ＨＤ信号におけるライン分もしくはフレーム分毎に変化するライン番号データもしくはフレーム番号データ、あるいは、それら両方を送出する情報データ送出部と、鍵データ送出部から送出される鍵データと情報データ送出部から送出されるライン番号データもしくはフレーム番号データあるいはそれら両方とについての演算を行って改変鍵データを形成し、それを、暗号化ＨＤ信号に基づく元のＨＤ信号を再生する復号化部に供給する演算処理部と、が備えられ、それにより、ＨＤ信号に暗号強度の改善が図られることになる暗号化処理が施されて得られた暗号化ＨＤ信号に対しての、元のＨＤ信号を再生するための鍵データに応じた復号化処理が、適正に行われることになる。
本願の請求の範囲における第３２項から第３４項まで，第３７項，第３８項，第４１項１及び第４２項のいずれかに記載された発明に係る復号化装置によれば、例えば、暗号化されるべきディジタル情報データがＨＤ信号とされるもとで、暗号化ＨＤ信号におけるライン分もしくはフレーム分毎に変化するライン番号データもしくはフレーム番号データあるいはそれら両方を送出する情報データ送出部と、当該暗号化ＨＤ信号と情報データ送出部から送出されるライン番号データもしくはフレーム番号データ、あるいは、それら両方とについての演算を行って改変ＨＤ信号を形成し、それを鍵データが供給される復号化部に供給する演算処理部が備えられ、それにより、ＨＤ信号に暗号強度の改善が図られることになる暗号化処理が施されて得られた暗号化ＨＤ信号に対しての、元のＨＤ信号を再生するための鍵データに応じた復号化処理が、適正に行われることになる。
【図面の簡単な説明】
図１は、ＤＥＳ方式による暗号化伝送システムの基本構成を示すブロック構成図である。
図２のＡ及びＢは、ＨＤ信号のデータフォーマットの一例の説明に供される概念図である。
図３は、ＨＤ信号のデータフォーマットの一例の説明に供される概念図である。
図４は、ＨＤ−ＳＤＩ信号についての暗号化伝送にあたって考えられる暗号化伝送システムの例を示すブロック構成図である。
図５は、ＨＤ信号のデータフォーマットを示す概念図である。
図６は、ＨＤ信号に暗号化処理を施すために用いることができる暗号化回路の第１の例を示すブロック構成図である。
図７は、暗号化ＨＤ信号に復号化処理を施すために用いることができる復号化回路の第１の例を示すブロック構成図である。
図８は、ＨＤ信号に暗号化処理を施すために用いることができる暗号化回路の第２の例を示すブロック構成図である。
図９は、暗号化ＨＤ信号に復号化処理を施すために用いることができる復号化回路の第２の例を示すブロック構成図である。
図１０は、ＨＤ信号に暗号化処理を施すために用いることができる暗号化回路の第３の例を示すブロック構成図である。
図１１は、暗号化ＨＤ信号に復号化処理を施すために用いることができる復号化回路の第３の例を示すブロック構成図である。
図１２は、本願の請求の範囲における第１項から第３項までのいずれかに記載された発明に係る暗号化装置の一例を示すブロック構成図である。
図１３は、本願の請求の範囲における第２２項から第２４項までのいずれかに記載された発明に係る復号化装置の一例を示すブロック構成図である。
図１４は、本願の請求の範囲における第４項または第５項に記載された発明に係る暗号化装置の一例を示すブロック構成図である。
図１５は、改変ＨＤ信号のデータフォーマットを示す概念図である。
図１６は、本願の請求の範囲における第２５項または第２６項に記載された発明に係る復号化装置の一例を示すブロック構成図である。
図１７は、本願の請求の範囲における第６項または第７項に記載された発明に係る暗号化装置の一例を示すブロック構成図である。
図１８は、本願の請求の範囲における第２７項または第２８項に記載された発明に係る復号化装置の一例を示すブロック構成図である。
図１９は、本願の請求の範囲における第８項から第１０項までのいずれかに記載された発明に係る暗号化装置の一例を示すブロック構成図である。
図２０は、本願の請求の範囲における第２９項から第３１項までのいずれかに記載された発明に係る復号化装置の一例を示すブロック構成図である。
図２１は、本願の請求の範囲における第１１項から第１３項までのいずれかに記載された発明に係る暗号化装置の一例を示すブロック構成図である。
図２２は、本願の請求の範囲における第３２項から第３４項までのいずれかに記載された発明に係る復号化装置の一例を示すブロック構成図である。
図２３は、本願の請求の範囲における第１４項または第１５項に記載された発明に係る暗号化装置の一例を示すブロック構成図である。
図２４は、本願の請求の範囲における第３５項または第３６項に記載された発明に係る復号化装置の一例を示すブロック構成図である。
図２５は、本願の請求の範囲における第１６項または第１７項に記載された発明に係る暗号化装置の一例を示すブロック構成図である。
図２６は、本願の請求の範囲における第３７項または第３８項８に記載された発明に係る復号化装置の一例を示すブロック構成図である。
図２７は、本願の請求の範囲における第１８項または第１９項に記載された発明に係る暗号化装置の一例を示すブロック構成図である。
図２８は、本願の請求の範囲における第３９項または第４０項に記載された発明に係る復号化装置の一例を示すブロック構成図である。
図２９は、本願の請求の範囲における第２０項または第２１項に記載された発明に係る暗号化装置の一例を示すブロック構成図である。
図３０は、本願の請求の範囲における第４１項または第４２項に記載された発明に係る復号化装置の一例を示すブロック構成図である。
図３１は、図１２，図１４及び図１７の各々における乱数発生部及び図１３，図１６及び図１８の各々における乱数発生部の夫々に代えて用いることができる乱数発生部を示すブロック構成図である。
【図１】
2003096609.tif 000003
【図４】
2003096609.tif 000004
【図６】
2003096609.tif 000005
【図２】
2003096609.tif 000006
【図３】
2003096609.tif 000007
【図５】
2003096609.tif 000008
【図７】
2003096609.tif 000009
【図８】
2003096609.tif 000010
【図９】
2003096609.tif 000011
【図１０】
2003096609.tif 000012
【図１１】
2003096609.tif 000013
【図１２】
2003096609.tif 000014
【図１３】
2003096609.tif 000015
【図１４】
2003096609.tif 000016
【図１５】
2003096609.tif 000017
【図１６】
2003096609.tif 000018
【図１７】
2003096609.tif 000019
【図１８】
2003096609.tif 000020
【図１９】
2003096609.tif 000021
【図２０】
2003096609.tif 000022
【図２１】
2003096609.tif 000023
【図２２】
2003096609.tif 000024
【図２３】
2003096609.tif 000025
【図２４】
2003096609.tif 000026
【図２５】
2003096609.tif 000027
【図２６】
2003096609.tif 000028
【図２７】
2003096609.tif 000029
【図２８】
2003096609.tif 000030
【図２９】
2003096609.tif 000031
【図３０】
2003096609.tif 000032
【図３１】
2003096609.tif 000033
【国際調査報告】
2003096609.tif 000034
2003096609.tif 000035
2003096609.tif 000036